(57)【特許請求の範囲】
【請求項１】
遊技球が流下可能な遊技領域に配された第１入球口と、前記第１入球口に入球した遊技球が通過可能な第１通路と、前記第１通路を通過する遊技球を検知可能な第１遊技球検知手段と、を備えた第１入球手段と、
前記遊技領域に配された第２入球口と、開状態と閉状態とをとり得て前記第２入球口への遊技球の入球し易さを変化させる開閉部材と、前記第２入球口に入球した遊技球が通過する第１共通路と、前記第１共通路から分岐する第２通路および第３通路と、前記第２通路を通過する遊技球を検知可能な第２遊技球検知手段と、前記第３通路を通過する遊技球を検知可能な第３遊技球検知手段と、を備えた第２入球手段と、
前記第１遊技球検知手段による遊技球の検知に基づいて数値情報を取得する第１数値情報取得手段と、
前記第２遊技球検知手段又は前記第３遊技球検知手段による遊技球の検知に基づいて数値情報を取得する第２数値情報取得手段と、
前記第１数値情報取得手段又は第２数値情報取得手段により取得された数値情報に基づいて当否判定を行う当否判定手段と、
前記当否判定の結果を示す図柄を変動表示を経て停止表示する図柄表示手段と、
前記当否判定の結果が大当たり当選であることを示す特定の停止態様にて前記図柄が停止表示されたあと、遊技者に有利な特別遊技を実行する特別遊技実行手段と、
前記特別遊技の終了後の遊技状態を、通常確率状態よりも前記当否判定における大当たり当選確率が高い高確率状態に制御可能な高確率状態制御手段と、
前記第１遊技球検知手段による遊技球の検知、又は、前記第２遊技球検知手段による遊技球の検知のいずれかがあると、前記高確率状態を終了させて前記通常確率状態に制御し得る高確率状態終了手段と、
前記遊技領域に配された通過口への遊技球の通過に基づいて、前記開閉部材を開放する補助遊技を行う補助遊技実行手段と、
少なくとも前記高確率状態への制御に伴って、前記特別遊技の終了後の遊技状態を、非入球容易状態よりも前記第２入球口へ遊技球が入球し易い入球容易状態に、所定の終了条件が成立するまで制御可能な入球容易状態制御手段と、を備えている遊技機であって、
前記第１入球口へ入球した遊技球が前記第１通路を通過する割合である第１通過率は、百分率で「１００」又は実質的に「１００」に設定されており、
前記第２入球口へ入球した遊技球が前記第２通路を通過する割合である第２通過率は、百分率で「０」又は実質的に「０」に設定されており、
大当たりに当選することなく予め定めた上限回数の前記図柄の変動表示の実行が終了すると前記入球容易状態を終了させる第１終了条件と、前記図柄の変動表示の実行回数が前記上限回数を超えても大当たりに当選するまで前記入球容易状態を継続させる第２終了条件と、を含む複数の終了条件の中から、当選した大当たりの種類に基づいて前記終了条件を設定する終了条件設定手段を備え、
前記非入球容易状態において前記第１入球口への入球に基づく当否判定にて大当たりに当選した場合には、前記終了条件設定手段により前記第１終了条件に設定されることはあるが、前記第２終了条件に設定されることはなく、
前記入球容易状態において前記第２入球口への入球に基づく当否判定にて大当たりに当選した場合には、前記終了条件設定手段により前記第１終了条件にも前記第２終了条件にも設定されることがあり、
前記入球容易状態制御手段は、前記非入球容易状態において前記第２入球口への入球に基づく当否判定にて大当たりに当選した場合には、当該大当たりに基づく特別遊技の終了後の遊技状態を非入球容易状態に制御することを特徴とする遊技機。
【発明の詳細な説明】
【技術分野】
【０００１】
本発明は、パチンコ遊技機等に代表される遊技機に関する。
【背景技術】
【０００２】
遊技機の１つであるパチンコ遊技機では、始動口（入球口）へ遊技球が入球すると、大当たりの当否判定が行われる。この当否判定の結果は変動表示を経て停止表示される図柄によって示される。大当たりに当選すると、そのことを示す停止態様にて図柄が停止表示され、その後、遊技者に有利な特別遊技が実行される。この特別遊技の実行後には、通常確率状態よりも大当たり当選確率が高い高確率状態に制御されることがある。また高確率状態への制御に伴って、非入球容易状態よりも普通電動役物（所謂電チュー）に係る始動口への入球が容易な入球容易状態に制御されることがある。
【０００３】
このような高確率状態且つ入球容易状態への制御が可能なパチンコ遊技機として、下記特許文献１及び特許文献２に記載の遊技機が知られている。特許文献１に記載の遊技機は所謂ＳＴ機（確変の回数切りの遊技機）である。つまり、高確率状態において大当たりに当選することなく予め定められた上限回数の図柄の変動表示の実行が終了すると、高確率状態への制御は終了する。なおこれに伴って入球容易状態への制御も終了する。この特許文献１に記載の遊技機によれば、高確率状態において、限られた上限回数に至るまでの間に大当たりを引くことができるかという緊張感のある遊技性（第１の遊技性）を提供することが可能となっている。
【０００４】
これに対して、特許文献２に記載の遊技機は所謂確変ループ機である。つまり、一旦、高確率状態に制御されると、次回の大当たりに当選するまで高確率状態が続く。高確率状態において当選した大当たりの種類が確変大当たり（高確率状態への制御契機となる大当たり）でなければ、大当たり遊技の終了後には通常確率状態に制御される。なお大当たり遊技の終了後に入球容易状態に制御されるか否かは当選した大当たりの種類による。この特許文献２に記載の遊技機によれば、高確率状態において次回の大当たりを必ず引けるという点で安心感を与えつつも、次回も確変大当たりを引くことができるかという点で緊張感をもたせた遊技性（第２の遊技性）を提供することが可能となっている。
【先行技術文献】
【特許文献】
【０００５】
【特許文献１】特開２０１３−２４８２８０号公報
【特許文献２】特開２０１３−１０２８９６号公報
【発明の概要】
【発明が解決しようとする課題】
【０００６】
しかしながら、上記特許文献１に記載の遊技機では、高確率状態における図柄の変動表示の実行回数が予め定められた上限回数に至れば必ず通常確率状態に戻っていた。つまり、高確率状態において次回の大当たり当選が確定するという遊技性に変わることはなかった。また、上記特許文献２に記載の遊技機では、高確率状態においては必ず次回の大当たり当選が確定していた。つまり、大当たりに当選することなく高確率状態が終了することがあるという遊技性に変わることはなかった。
【０００７】
すなわち、高確率状態における遊技性は、上記文献１の遊技機では必ず上述の第１の遊技性に決まっており、上記文献２の遊技機では必ず上述の第２の遊技性に決まっていた。このことは、長時間にわたって遊技がなされたときに遊技者を飽きさせてしまう要因ともなり得る。この点において従来の遊技機には、遊技興趣に向上の余地があった。
【０００８】
本発明は上記事情に鑑みてなされたものである。すなわちその課題とするところは、高確率状態下での遊技に対する興趣を向上させることである。
【課題を解決するための手段】
【０００９】
本発明の遊技機は、
遊技球が流下可能な遊技領域に配された第１入球口と、前記第１入球口に入球した遊技球が通過可能な第１通路と、前記第１通路を通過する遊技球を検知可能な第１遊技球検知手段と、を備えた第１入球手段と、
前記遊技領域に配された第２入球口と、開状態と閉状態とをとり得て前記第２入球口への遊技球の入球し易さを変化させる開閉部材と、前記第２入球口に入球した遊技球が通過する第１共通路と、前記第１共通路から分岐する第２通路および第３通路と、前記第２通路を通過する遊技球を検知可能な第２遊技球検知手段と、前記第３通路を通過する遊技球を検知可能な第３遊技球検知手段と、を備えた第２入球手段と、
前記第１遊技球検知手段による遊技球の検知に基づいて数値情報を取得する第１数値情報取得手段と、
前記第２遊技球検知手段又は前記第３遊技球検知手段による遊技球の検知に基づいて数値情報を取得する第２数値情報取得手段と、
前記第１数値情報取得手段又は第２数値情報取得手段により取得された数値情報に基づいて当否判定を行う当否判定手段と、
前記当否判定の結果を示す図柄を変動表示を経て停止表示する図柄表示手段と、
前記当否判定の結果が大当たり当選であることを示す特定の停止態様にて前記図柄が停止表示されたあと、遊技者に有利な特別遊技を実行する特別遊技実行手段と、
前記特別遊技の終了後の遊技状態を、通常確率状態よりも前記当否判定における大当たり当選確率が高い高確率状態に制御可能な高確率状態制御手段と、
前記第１遊技球検知手段による遊技球の検知、又は、前記第２遊技球検知手段による遊技球の検知のいずれかがあると、前記高確率状態を終了させて前記通常確率状態に制御し得る高確率状態終了手段と、
前記遊技領域に配された通過口への遊技球の通過に基づいて、前記開閉部材を開放する補助遊技を行う補助遊技実行手段と、
少なくとも前記高確率状態への制御に伴って、前記特別遊技の終了後の遊技状態を、非入球容易状態よりも前記第２入球口へ遊技球が入球し易い入球容易状態に、所定の終了条件が成立するまで制御可能な入球容易状態制御手段と、を備えている遊技機であって、
前記第１入球口へ入球した遊技球が前記第１通路を通過する割合である第１通過率は、百分率で「１００」又は実質的に「１００」に設定されており、
前記第２入球口へ入球した遊技球が前記第２通路を通過する割合である第２通過率は、百分率で「０」又は実質的に「０」に設定されており、
大当たりに当選することなく予め定めた上限回数の前記図柄の変動表示の実行が終了すると前記入球容易状態を終了させる第１終了条件と、前記図柄の変動表示の実行回数が前記上限回数を超えても大当たりに当選するまで前記入球容易状態を継続させる第２終了条件と、を含む複数の終了条件の中から、当選した大当たりの種類に基づいて前記終了条件を設定する終了条件設定手段を備え、
前記非入球容易状態において前記第１入球口への入球に基づく当否判定にて大当たりに当選した場合には、前記終了条件設定手段により前記第１終了条件に設定されることはあるが、前記第２終了条件に設定されることはなく、
前記入球容易状態において前記第２入球口への入球に基づく当否判定にて大当たりに当選した場合には、前記終了条件設定手段により前記第１終了条件にも前記第２終了条件にも設定されることがあり、
前記入球容易状態制御手段は、前記非入球容易状態において前記第２入球口への入球に基づく当否判定にて大当たりに当選した場合には、当該大当たりに基づく特別遊技の終了後の遊技状態を非入球容易状態に制御することを特徴とする遊技機である。
【発明の効果】
【００１０】
本発明によれば、高確率状態下での遊技に対する興趣を向上させることが可能である。
【図面の簡単な説明】
【００１１】
【図１】本発明の一実施形態に係る遊技機の正面図である。
【図２】同遊技機が備える遊技盤の正面図である。
【図３】同遊技機が備える第１始動入賞装置の正面図である。
【図４】同遊技機が備える第２始動入賞装置（電チュー）の正面図である。
【図５】図２に示すＡ部分の拡大図であり、同遊技機が備える表示器類を示す図である。
【図６】同遊技機の主制御基板側の電気的な構成を示すブロック図である。
【図７】同遊技機のサブ制御基板側の電気的な構成を示すブロック図である。
【図８】当たりの種類を説明するための表である。
【図９】遊技制御用マイコンが取得する各種乱数を示す表である。
【図１０】（Ａ）は大当たり判定テーブルであり、（Ｂ）は当たり種別判定テーブルであり、（Ｃ）はリーチ判定テーブルであり、（Ｄ）は普通図柄当たり判定テーブルであり、（Ｅ）は普通図柄変動パターン選択テーブルである。
【図１１】特図変動パターン判定テーブルである。
【図１２】電チューの開放パターン決定テーブルである。
【図１３】主制御メイン処理のフローチャートである。
【図１４】メイン側タイマ割り込み処理のフローチャートである。
【図１５】入力処理のフローチャートである。
【図１６】始動口センサ検出処理のフローチャートである。
【図１７】転落抽選処理のフローチャートである。
【図１８】ゲート通過処理のフローチャートである。
【図１９】普通動作処理のフローチャートである。
【図２０】普通図柄待機処理のフローチャートである。
【図２１】普通図柄当たり判定処理のフローチャートである。
【図２２】普通図柄変動中処理のフローチャートである。
【図２３】普通図柄確定処理のフローチャートである。
【図２４】普通電動役物処理のフローチャートである。
【図２５】特別動作処理のフローチャートである。
【図２６】特別図柄待機処理のフローチャートである。
【図２７】転落処理のフローチャートである。
【図２８】大当たり判定処理のフローチャートである。
【図２９】変動パターン選択処理のフローチャートである。
【図３０】変動パターン選択処理のフローチャートである。
【図３１】特別図柄変動中処理のフローチャートである。
【図３２】特別図柄確定処理のフローチャートである。
【図３３】遊技状態管理処理のフローチャートである。
【図３４】遊技状態リセット処理のフローチャートである。
【図３５】特別電動役物処理のフローチャートである。
【図３６】遊技状態設定処理のフローチャートである。
【図３７】保留球数処理のフローチャートである。
【図３８】サブ制御メイン処理のフローチャートである。
【図３９】受信割り込み処理のフローチャートである。
【図４０】１ｍｓタイマ割り込み処理のフローチャートである。
【図４１】１０ｍｓタイマ割り込み処理のフローチャートである。
【図４２】受信コマンド解析処理のフローチャートである。
【図４３】変動演出開始処理のフローチャートである。
【図４４】変動演出終了処理のフローチャートである。
【図４５】ラウンド演出選択処理のフローチャートである。
【図４６】演出モードを説明するための表である。
【図４７】各演出モードへの移行時のエンディング演出等を示す表示画面の図である。
【図４８】実施形態に係る遊技機における遊技フローを示す図である。
【図４９】変更例１に係る第１始動入賞装置の正面図である。
【図５０】変更例２に係る第２始動入賞装置の正面図である。
【図５１】変更例２に係る第２始動入賞装置の開放パターン等を示すタイミングチャートである。
【図５２】変更例２に係る第２始動入賞装置の他の開放パターン等を示すタイミングチャートである。
【図５３】変更例２に係る第２始動入賞装置のさらに他の開放パターン等を示すタイミングチャートである。
【発明を実施するための形態】
【００１２】
１．遊技機の構造
本発明の一実施形態であるパチンコ遊技機について、図面に基づいて説明する。図１に示すように、第１形態のパチンコ遊技機１は、遊技機枠５０と、遊技機枠５０内に取り付けられた遊技盤２とを備えている。遊技機枠５０のうちの前面枠５１には、回転角度に応じた発射強度で遊技球を発射させるためのハンドル（発射操作部に相当）６０、遊技球を貯留する打球供給皿（上皿）６１、及び打球供給皿６１に収容しきれない遊技球を貯留する余剰球受皿（下皿）６２が設けられている。また前面枠５１には、遊技の進行に伴って実行される演出時などに遊技者が操作し得る演出ボタン６３が設けられている。また前面枠５１には、装飾用の枠ランプ６６、及び、音を出力するスピーカ６７が設けられている。
【００１３】
図２に示すように、遊技盤２には、ハンドル６０の操作により発射された遊技球が流下する遊技領域３が、レール部材４で囲まれて形成されている。また遊技盤２には、装飾用の盤ランプ５（図７参照）が設けられている。遊技領域３には、遊技球を誘導する複数の遊技くぎ（図示せず）が突設されている。
【００１４】
また遊技領域３の中央付近には、液晶表示装置である画像表示装置（演出表示手段の一例）７が設けられている。画像表示装置７の表示画面（表示部）７ａには、後述の第１特別図柄および第２特別図柄の変動表示（可変表示）に同期した演出図柄（装飾図柄）８Ｌ,８Ｃ,８Ｒの変動表示（可変表示）を行う演出図柄表示領域がある。なお、演出図柄８Ｌ,８Ｃ,８Ｒを表示する演出を演出図柄変動演出という。演出図柄変動演出を「装飾図柄変動演出」や単に「変動演出」と称することもある。
【００１５】
演出図柄表示領域は、例えば「左」「中」「右」の３つの図柄表示エリアからなる。左の図柄表示エリアには左演出図柄８Ｌが表示され、中の図柄表示エリアには中演出図柄８Ｃが表示され、右の図柄表示エリアには右演出図柄８Ｒが表示される。演出図柄はそれぞれ、例えば「１」〜「９」までの数字をあらわした複数の図柄からなる。画像表示装置７は、左、中、右の演出図柄の組み合わせによって、後述の第１特別図柄表示器４１ａおよび第２特別図柄表示器４１ｂ（図５参照）にて表示される第１特別図柄および第２特別図柄の可変表示の結果（つまりは大当たり抽選の結果）を、わかりやすく表示する。
【００１６】
例えば大当たりに当選した場合には「７７７」などのゾロ目で演出図柄を停止表示する。また、はずれであった場合には「６３７」などのバラケ目で演出図柄を停止表示する。これにより、遊技者による遊技の進行状況の把握が容易となる。つまり遊技者は、一般的には大当たり抽選の結果を第１特別図柄表示器４１ａや第２特別図柄表示器４１ｂにより把握するのではなく、画像表示装置７にて把握する。なお、図柄表示エリアの位置は固定的でなくてもよい。また、演出図柄の変動表示の態様としては、例えば上下方向にスクロールする態様がある。
【００１７】
画像表示装置７は、上記のような演出図柄を用いた演出図柄変動演出のほか、大当たり遊技（特別遊技の一例）に並行して行われる大当たり演出や、客待ち用のデモ演出などを表示画面７ａに表示する。なお演出図柄変動演出では、数字等の演出図柄のほか、背景画像やキャラクタ画像などの演出図柄以外の演出画像も表示される。
【００１８】
また画像表示装置７の表示画面７ａには、後述の第１特図保留や第２特図保留の記憶数に応じて演出保留画像９を表示する演出保留表示エリアがある。演出保留画像９の表示により、後述の第１特図保留表示器４３ａ（図５参照）にて表示される第１特図保留の記憶数や、第２特図保留表示器４３ｂにて表示される第２特図保留の記憶数を、遊技者にわかりやすく示すことができる。
【００１９】
遊技領域３の中央付近であって画像表示装置７の前方には、センター装飾体１０が配されている。センター装飾体１０の下部には、上面を転動する遊技球を、後述の第１始動口２０へと誘導可能なステージ部１１が形成されている。またセンター装飾体１０の左部には、入口から遊技球を流入させ、出口からステージ部１１へ遊技球を流出させるワープ部１２が設けられている。さらにセンター装飾体１０の上部には、文字や図形等を表した装飾部材１３が配されている。
【００２０】
遊技領域３における画像表示装置７の下方には、遊技球の入球し易さが常に変わらない第１始動口（第１入球口に相当、第１始動入賞口や固定入球口ともいう）２０を備える第１始動入賞装置（第１入球手段に相当、固定入賞装置ともいう）１９が設けられている。第１始動口２０への遊技球の入賞は、第１特別図柄の抽選（大当たり抽選、すなわち大当たり乱数等の取得と判定）の契機となっている。
【００２１】
より詳細には図３に示すように、第１始動入賞装置１９の内部には、第１始動口２０を通過した遊技球が通過する第１始動口内共通路（第２共通路に相当）７０と、第１始動口内共通路７０から分岐する２つの通路（第１転落用通路７１および第１非転落用通路７３）とが形成されている。第１転落用通路７１（第１通路に相当）上には第１転落領域７２が形成されており、この第１転落領域７２には、第１転落領域７２への遊技球の通過を検知する転落用第１始動口センサ（第１遊技球検知手段に相当）２０ａが配されている。一方、第１非転落用通路７３（第４通路に相当）上には第１非転落領域７４が形成されており、この第１非転落領域７４には、第１非転落領域７４への遊技球の通過を検知する非転落用第１始動口センサ（第４遊技球検知手段に相当）２０ｂが配されている。
【００２２】
なお後述するように、転落用第１始動口センサ２０ａによる遊技球の検知は、第１特別図柄の抽選の契機となっているとともに、高確率状態から通常確率状態への転落契機にもなっている。これに対して、非転落用第１始動口センサ２０ｂによる遊技球の検知は、第１特別図柄の抽選の契機にはなっているが、高確率状態から通常確率状態への転落契機にはなっていない。
【００２３】
また第１始動入賞装置１９は、第１始動口２０へ入賞した遊技球のうち第１転落用通路７１を通過する遊技球の数と、第１非転落用通路７３を通過する遊技球の数との比が、およそ「１００：０」となる形状で形成されている。言い換えれば、第１始動口内共通路７０と第１転落用通路７１及び第１非転落用通路７３との分岐部７０ａは、第１転落用通路７１と第１非転落用通路７３とに振分率がおよそ「１００：０」となるように遊技球を振り分ける形状に形成されている。つまり、第１始動口２０へ入賞した遊技球のうち第１転落用通路７１を通過する遊技球の割合（「第１通過率」という）は、百分率でおよそ「１００」である。
【００２４】
よって、第１始動口２０へ入賞した遊技球が、第１非転落領域７４を通過することは極めてまれであり、実質的には必ず第１転落領域７２を通過して転落用第１始動口センサ２０ａに検知されることとなる。そのため、後述する高確率状態への制御中に第１始動口２０へ遊技球が入賞した場合には、実質的には必ず通常確率状態へ転落することとなる。
【００２５】
また図２に示すように、遊技領域３における第１始動口２０の右方には、第２始動口（第２入球口に相当、第２始動入賞口や可変入球口ともいう）２１を備える普通可変入賞装置（普通電動役物、いわゆる電チュー）２２が設けられている。電チュー２２は、第２入球手段に相当する。また電チュー２２を、第２始動入賞装置ともいう。第２始動口２１への遊技球の入賞は、第２特別図柄の抽選（大当たり抽選）の契機となっている。電チュー２２は、開閉部材（入球口開閉部材ともいう）２３を備え、開閉部材２３の作動によって第２始動口２１を開閉するものである。開閉部材２３は、電チューソレノイド２４（図６参照）により駆動される。開閉部材２３が開状態（図２に二点鎖線で示す状態）にあるときには、第２始動口２１への遊技球の入球が可能となり、閉状態（図２に実線で示す状態）にあるときには、第２始動口２１への遊技球の入球が不可能となる。つまり、第２始動口２１は、遊技球の入球し易さが変化可能な始動口である。
【００２６】
より詳細には図４に示すように、電チュー２２の内部には、第２始動口２１を通過した遊技球が通過する第２始動口内共通路（第１共通路に相当）７５と、第２始動口内共通路７５から分岐する２つの通路（第２転落用通路７６および第２非転落用通路７８）とが形成されている。第２転落用通路（第２通路に相当）７６上には第２転落領域７７が形成されており、この第２転落領域７７には、第２転落領域７７への遊技球の通過を検知する転落用第２始動口センサ（第２遊技球検知手段に相当）２１ａが配されている。一方、第２非転落用通路（第３通路に相当）７８上には第２非転落領域７９が形成されており、この第２非転落領域７９には、第２非転落領域７９への遊技球の通過を検知する非転落用第２始動口センサ（第３遊技球検知手段に相当）２１ｂが配されている。
【００２７】
なお後述するように、転落用第２始動口センサ２１ａによる遊技球の検知は、第２特別図柄の抽選の契機となっているとともに、高確率状態から通常確率状態への転落契機にもなっている。これに対して、非転落用第２始動口センサ２１ｂによる遊技球の検知は、第２特別図柄の抽選の契機にはなっているが、高確率状態から通常確率状態への転落契機にはなっていない。
【００２８】
また電チュー２２は、第２始動口２１へ入賞した遊技球のうち第２転落用通路７６を通過する遊技球の数と、第２非転落用通路７８を通過する遊技球の数との比が、およそ「０：１００」となる形状で形成されている。言い換えれば、第２始動口内共通路７５と第２転落用通路７６及び第２非転落用通路７８との分岐部７５ａは、第２転落用通路７６と第２非転落用通路７８とに振分率がおよそ「０：１００」となるように遊技球を振り分ける形状に形成されている。つまり、第２始動口２１へ入賞した遊技球のうち第２転落用通路７６を通過する遊技球の割合（「第２通過率」という）は、百分率でおよそ「０」である。
【００２９】
よって、第２始動口２１へ入賞した遊技球が、第２転落領域７７を通過することは極めてまれであり、実質的には必ず第２非転落領域７９を通過して非転落用第２始動口センサ２１ｂに検知されることとなる。そのため、後述する高確率状態への制御中に第２始動口２１へ遊技球が入賞した場合には、実質的には必ず高確率状態への制御が維持される（通常確率状態へ転落しない）こととなる。なお本形態では、第２始動口２１へ入賞した遊技球が第２転落領域７７を通過する可能性をわずかに残して構成したが、第２始動口２１へ入賞した遊技球が必ず第２非転落領域７９を通過するように構成してもよい。
【００３０】
さらに電チュー２２には、第２始動口内共通路７５における分岐部７５ａの上流に、入賞カウント用第２始動口センサ（上流側遊技球検知手段に相当）２１ｃが配されている。後述するように本形態では、第２始動口２１への入賞球数のカウント、及び、第２始動口２１への入賞に基づく賞球の払い出しは、この入賞カウント用第２始動口センサ２１ｃによる遊技球の検知に基づいて行われる。
【００３１】
また図２に示すように、遊技領域３における第１始動口２０の下方には、大入賞口（特別入賞口）３０を備えた大入賞装置（特別可変入賞装置や特別入賞手段ともいう）３１が設けられている。大入賞装置３１は、開状態と閉状態とをとる開閉部材（特別入賞口開閉部材ともいう）３２を備え、開閉部材３２の作動により大入賞口３０を開閉するものである。開閉部材３２は、大入賞口ソレノイド３３（図６参照）により駆動される。大入賞口３０は、開閉部材３２が開いているとき（つまり開状態のとき）だけ遊技球が入球可能となる。
【００３２】
また、遊技領域３におけるセンター装飾体１０の右方には、遊技球が通過可能なゲート（通過口に相当）２８が設けられている。ゲート２８への遊技球の通過は、電チュー２２を開放するか否かを決める普通図柄抽選（すなわち普通図柄乱数（当たり乱数）の取得と判定）の実行契機となっている。さらに遊技領域３の左下部には、普通入賞口２７が設けられている。また遊技領域３の最下部には、遊技領域３へ打ち込まれたもののいずれの入賞口にも入賞しなかった遊技球を遊技領域３外へ排出するアウト口６が設けられている。
【００３３】
このように各種の入賞口等が配されている遊技領域３には、左右方向の中央より左側の左遊技領域（第１遊技領域）３Ａと、右側の右遊技領域（第２遊技領域）３Ｂとがある。左遊技領域３Ａを遊技球が流下するように遊技球を発射する打方を、左打ちという。一方、右遊技領域３Ｂを遊技球が流下するように遊技球を発射する打方を、右打ちという。本形態のパチンコ遊技機１では、左打ちにて遊技したときに遊技球が流下する流路を、第１流路Ｒ１といい、右打ちにて遊技したときに遊技球が流下する流路を、第２流路Ｒ２という。
【００３４】
第１流路Ｒ１上には、第１始動口２０と、大入賞装置３１と、アウト口６とが設けられている。遊技者は第１流路Ｒ１を流下するように遊技球を打ち込むことで、第１始動口２０への入賞や、大入賞口３０への入賞を狙うことができる。
【００３５】
一方、第２流路Ｒ２上には、ゲート２８と、電チュー２２と、大入賞装置３１と、アウト口６とが設けられている。遊技者は第２流路Ｒ２を流下するように遊技球を打ち込むことで、ゲート２８への通過や、第２始動口２１への入賞、大入賞口３０への入賞を狙うことができる。
【００３６】
なお本形態では、大入賞口３０への入賞は左打ちであっても右打ちであっても可能であるが、大入賞口３０が開放される大当たり遊技中は公知の方法で右打ちにて遊技を行うよう遊技者に報知するようにしている。右打ちにて大当たり遊技を遊技させれば、大当たり遊技中に第２始動口２１への入賞が生じ得て、第１始動口２０への入賞に基づく抽選よりも有利な抽選を、大当たり遊技の終了直後に受けられるようになり得るからである。有利な抽選とは、特典量の比較的多い大当たり（本形態では賞球の獲得が可能で時短状態の制御契機にもなる大当たり）に当選し易い抽選ということである。この点については後述する。
【００３７】
また図２および図５に示すように、遊技盤２の右下部には表示器類４０が配置されている。表示器類４０には、図５に示すように、第１特別図柄を可変表示する第１特別図柄表示器４１ａ、第２特別図柄を可変表示する第２特別図柄表示器４１ｂ、及び、普通図柄を可変表示する普通図柄表示器４２が含まれている。また表示器類４０には、第１特別図柄表示器４１ａの作動保留（第１特図保留）の記憶数を表示する第１特図保留表示器４３ａ、第２特別図柄表示器４１ｂの作動保留（第２特図保留）の記憶数を表示する第２特図保留表示器４３ｂ、および普通図柄表示器４２の作動保留（普図保留）の記憶数を表示する普図保留表示器４４が含まれている。
【００３８】
第１特別図柄の可変表示は、第１始動口２０への遊技球の入賞を契機として行われる。第２特別図柄の可変表示は、第２始動口２１への遊技球の入賞を契機として行われる。なお以下の説明では、第１特別図柄および第２特別図柄を総称して特別図柄ということがある。また、第１特別図柄表示器４１ａおよび第２特別図柄表示器４１ｂを総称して特別図柄表示器４１ということがある。また、第１特図保留表示器４３ａおよび第２特図保留表示器４３ｂを総称して特図保留表示器４３ということがある。
【００３９】
特別図柄表示器４１では、特別図柄を可変表示（変動表示）したあと停止表示することにより、第１始動口２０又は第２始動口２１への入賞に基づく抽選（特別図柄抽選、大当たり抽選）の結果を報知する。停止表示される特別図柄（特図停止図柄、可変表示の表示結果として導出表示される特別図柄）は、特別図柄抽選によって複数種類の特別図柄の中から選択された一つの特別図柄である。停止図柄が予め定めた特定特別図柄（特定の停止態様の特別図柄すなわち大当たり図柄）である場合には、停止表示された特定特別図柄の種類（つまり当選した当たりの種類）に応じた開放パターンにて大入賞口３０を開放させる特別遊技（大当たり遊技）が行われる。なお、特別遊技における大入賞口３０の開放パターンについては後述する。
【００４０】
具体的には特別図柄表示器４１は、例えば横並びに配された８個のＬＥＤから構成されており、その点灯態様によって大当たり抽選の結果に応じた特別図柄を表示するものである。例えば大当たり（後述の複数種類の大当たりのうちの一つ）に当選した場合には、「○○●●○○●●」（○：点灯、●：消灯）というように左から１，２，５，６番目にあるＬＥＤが点灯した大当たり図柄を表示する。また、ハズレである場合には、「●●●●●●●○」というように一番右にあるＬＥＤのみが点灯したハズレ図柄を表示する。ハズレ図柄として全てのＬＥＤを消灯させる態様を採用してもよい。なおハズレ図柄は、特定特別図柄ではない。また、特別図柄が停止表示される前には所定の変動時間にわたって特別図柄の変動表示がなされるが、その変動表示の態様は、例えば左から右へ光が繰り返し流れるように各ＬＥＤが点灯するという態様である。なお変動表示の態様は、各ＬＥＤが停止表示（特定の態様での点灯表示）されていなければ、全ＬＥＤが一斉に点滅するなどなんでもよい。
【００４１】
本パチンコ遊技機１では、第１始動口２０または第２始動口２１への遊技球の入賞（入球）があると、その入賞に対して取得した大当たり乱数等の各種乱数の値（数値情報）は、特図保留記憶部８５（図６参照）に一旦記憶される。詳細には、第１始動口２０への入賞であれば第１特図保留として第１特図保留記憶部８５ａ（図６参照）に記憶され、第２始動口２１への入賞であれば第２特図保留として第２特図保留記憶部８５ｂ（図６参照）に記憶される。各々の特図保留記憶部８５に記憶可能な特図保留の数には上限があり、本形態における上限値はそれぞれ４個となっている。
【００４２】
特図保留記憶部８５に記憶された特図保留は、その特図保留に基づく特別図柄の可変表示が可能となったときに消化される。特図保留の消化とは、その特図保留に対応する大当たり乱数等を判定して、その判定結果を示すための特別図柄の可変表示を実行することをいう。従って本パチンコ遊技機１では、第１始動口２０または第２始動口２１への遊技球の入賞に基づく特別図柄の可変表示がその入賞後にすぐに行えない場合、すなわち特別図柄の可変表示の実行中や特別遊技の実行中に入賞があった場合であっても、所定個数を上限として、その入賞に対する大当たり抽選の権利を留保することができるようになっている。
【００４３】
そしてこのような特図保留の数は、特図保留表示器４３に表示される。具体的には特図保留表示器４３はそれぞれ、例えば４個のＬＥＤで構成されており、特図保留の数だけＬＥＤを点灯させることにより特図保留の数を表示する。
【００４４】
普通図柄の可変表示は、ゲート２８への遊技球の通過を契機として行われる。普通図柄表示器４２では、普通図柄を可変表示（変動表示）したあと停止表示することにより、ゲート２８への遊技球の通過に基づく普通図柄抽選の結果を報知する。停止表示される普通図柄（普図停止図柄、可変表示の表示結果として導出表示される普通図柄）は、普通図柄抽選によって複数種類の普通図柄の中から選択された一つの普通図柄である。停止表示された普通図柄が予め定めた特定普通図柄（普通当たり図柄）である場合には、現在の遊技状態に応じた開放パターンにて第２始動口２１を開放させる補助遊技が行われる。なお、第２始動口２１の開放パターンについては後述する。
【００４５】
具体的には普通図柄表示器４２は、例えば２個のＬＥＤから構成されており（図５参照）、その点灯態様によって普通図柄抽選の結果に応じた普通図柄を表示するものである。例えば抽選結果が当たりである場合には、「○○」（○：点灯、●：消灯）というように両ＬＥＤが点灯した普通当たり図柄を表示する。また抽選結果がハズレである場合には、「●○」というように右のＬＥＤのみが点灯した普通ハズレ図柄を表示する。普通ハズレ図柄として全てのＬＥＤを消灯させる態様を採用してもよい。なお普通ハズレ図柄は、特定普通図柄ではない。普通図柄が停止表示される前には所定の変動時間にわたって普通図柄の変動表示がなされるが、その変動表示の態様は、例えば両ＬＥＤが交互に点灯するという態様である。なお変動表示の態様は、各ＬＥＤが停止表示（特定の態様での点灯表示）されていなければ、全ＬＥＤが一斉に点滅するなどなんでもよい。
【００４６】
本パチンコ遊技機１では、ゲート２８への遊技球の通過があると、その通過に対して取得した普通図柄乱数（当たり乱数）の値は、普図保留記憶部８６（図６参照）に普図保留として一旦記憶される。普図保留記憶部８６に記憶可能な普図保留の数には上限があり、本形態における上限値は４個となっている。
【００４７】
普図保留記憶部８６に記憶された普図保留は、その普図保留に基づく普通図柄の可変表示が可能となったときに消化される。普図保留の消化とは、その普図保留に対応する普通図柄乱数（当たり乱数）を判定して、その判定結果を示すための普通図柄の可変表示を実行することをいう。従って本パチンコ遊技機１では、ゲート２８への遊技球の通過に基づく普通図柄の可変表示がその通過後にすぐに行えない場合、すなわち普通図柄の可変表示の実行中や補助遊技の実行中に入賞があった場合であっても、所定個数を上限として、その通過に対する普通図柄抽選の権利を留保することができるようになっている。
【００４８】
そしてこのような普図保留の数は、普図保留表示器４４に表示される。具体的には普図保留表示器４４は、例えば４個のＬＥＤで構成されており、普図保留の数だけＬＥＤを点灯させることにより普図保留の数を表示するものである。
【００４９】
２．遊技機の電気的構成
次に図６及び図７に基づいて、本パチンコ遊技機１における電気的な構成を説明する。図６及び図７に示すようにパチンコ遊技機１は、大当たり抽選や遊技状態の移行などの遊技利益に関する制御を行う主制御基板（遊技制御基板）８０、遊技の進行に伴って実行する演出に関する制御を行うサブ制御基板（演出制御基板）９０、遊技球の払い出しに関する制御を行う払出制御基板１１０等を備えている。主制御基板８０は、メイン制御部を構成し、サブ制御基板９０は、後述する画像制御基板１００、ランプ制御基板１０７、および音声制御基板１０６とともにサブ制御部を構成する。なお、サブ制御部は、少なくともサブ制御基板９０を備え、演出手段（画像表示装置７や盤ランプ５、枠ランプ６６、スピーカ６７、後述する装飾可動体１５等）を用いた遊技演出を制御可能であればよい。
【００５０】
主制御基板８０には、プログラムに従ってパチンコ遊技機１の遊技の進行を制御する遊技制御用ワンチップマイコン（以下「遊技制御用マイコン」）８１が実装されている。遊技制御用マイコン８１には、遊技の進行を制御するためのプログラム等を記憶したＲＯＭ８３、ワークメモリとして使用されるＲＡＭ８４、ＲＯＭ８３に記憶されたプログラムを実行するＣＰＵ８２が含まれている。遊技制御用マイコン８１は、入出力回路（Ｉ／Ｏポート部）８７を介して他の基板等とデータの送受信を行う。入出力回路８７は、遊技制御用マイコン８１に内蔵されていてもよい。また、ＲＯＭ８３は外付けであってもよい。ＲＡＭ８４には、上述した特図保留記憶部８５と普図保留記憶部８６とが設けられている。
【００５１】
主制御基板８０には、中継基板８８を介して各種センサやソレノイドが接続されている。そのため、主制御基板８０には各センサから信号が入力され、各ソレノイドには主制御基板８０から信号が出力される。具体的にはセンサ類としては、転落用第１始動口センサ２０ａ、非転落用第１始動口センサ２０ｂ、転落用第２始動口センサ２１ａ、非転落用第２始動口センサ２１ｂ、入賞カウント用第２始動口センサ２１ｃ、ゲートセンサ２８ａ、大入賞口センサ３０ａ、および普通入賞口センサ２７ａが接続されている。
【００５２】
転落用第１始動口センサ２０ａは、第１始動口２０内の第１転落領域７２（図３参照）に設けられて、第１始動口２０に入賞したあと第１転落領域７２を通過した遊技球を検出するものである。非転落用第１始動口センサ２０ｂは、第１始動口２０内の第１非転落領域７４（図３参照）に設けられて、第１始動口２０に入賞したあと第１非転落領域７４を通過した遊技球を検出するものである。転落用第２始動口センサ２１ａは、第２始動口２１内の第２転落領域７７（図４参照）に設けられて、第２始動口２１に入賞したあと第２転落領域７７を通過した遊技球を検出するものである。非転落用第２始動口センサ２１ｂは、第２始動口２１内の第２非転落領域７９（図４参照）に設けられて、第２始動口２１に入賞したあと第２非転落領域７９を通過した遊技球を検出するものである。入賞カウント用第２始動口センサ２１ｃは、第２始動口内共通路７５（図４参照）における分岐部７５ａよりも上流に設けられて、第２始動口２１に入賞した遊技球を検出するものである。
【００５３】
また、ゲートセンサ２８ａは、ゲート２８内に設けられてゲート２８を通過した遊技球を検出するものである。大入賞口センサ３０ａは、大入賞口３０内に設けられて大入賞口３０に入賞した遊技球を検出するものである。普通入賞口センサ２７ａは、普通入賞口２７内に設けられて普通入賞口２７に入賞した遊技球を検出するものである。
【００５４】
またソレノイド類としては、電チューソレノイド２４、および大入賞口ソレノイド３３が接続されている。電チューソレノイド２４は、電チュー２２の開閉部材２３を駆動するものである。大入賞口ソレノイド３３は、大入賞装置３１の開閉部材３２を駆動するものである。
【００５５】
さらに主制御基板８０には、特別図柄表示器４１、普通図柄表示器４２、特図保留表示器４３、および普図保留表示器４４が接続されている。すなわち、これらの表示器類４０の表示制御は、遊技制御用マイコン８１によりなされる。
【００５６】
また主制御基板８０は、払出制御基板１１０に各種コマンドを送信するとともに、払い出し監視のために払出制御基板１１０から信号を受信する。払出制御基板１１０には、賞球払出装置１２０、貸球払出装置１３０およびカードユニット１３５（パチンコ遊技機１に隣接して設置され、挿入されているプリペイドカード等の情報に基づいて球貸しを可能にするもの）が接続されているとともに、発射制御回路１１１を介して発射装置１１２が接続されている。発射装置１１２には、ハンドル６０（図１参照）が含まれる。
【００５７】
払出制御基板１１０は、遊技制御用マイコン８１からの信号や、パチンコ遊技機１に接続されたカードユニット１３５からの信号に基づいて、賞球払出装置１２０の賞球モータ１２１を駆動して賞球の払い出しを行ったり、貸球払出装置１３０の球貸モータ１３１を駆動して貸球の払い出しを行ったりする。払い出される賞球は、その計数のため賞球センサ１２２により検知される。また払い出される貸球は、その計数のため球貸センサ１３２により検知される。なお遊技者による発射装置１１２のハンドル６０（図１参照）の操作があった場合には、タッチスイッチ１１４がハンドル６０への接触を検知し、発射ボリューム１１５がハンドル６０の回転量を検知する。そして、発射ボリューム１１５の検知信号の大きさに応じた強さで遊技球が発射されるよう発射モータ１１３が駆動されることとなる。なお本パチンコ遊技機１においては、０．６秒程度で一発の遊技球が発射されるようになっている。
【００５８】
また主制御基板８０は、サブ制御基板９０に対し各種コマンドを送信する。主制御基板８０とサブ制御基板９０との接続は、主制御基板８０からサブ制御基板９０への信号の送信のみが可能な単方向通信接続となっている。すなわち、主制御基板８０とサブ制御基板９０との間には、通信方向規制手段としての図示しない単方向性回路（例えばダイオードを用いた回路）が介在している。
【００５９】
図７に示すように、サブ制御基板９０には、プログラムに従ってパチンコ遊技機１の演出を制御する演出制御用ワンチップマイコン（以下「演出制御用マイコン」）９１が実装されている。演出制御用マイコン９１には、遊技の進行に伴って演出を制御するためのプログラム等を記憶したＲＯＭ９３、ワークメモリとして使用されるＲＡＭ９４、ＲＯＭ９３に記憶されたプログラムを実行するＣＰＵ９２が含まれている。演出制御用マイコン９１は、入出力回路（Ｉ／Ｏポート部）９７を介して他の基板等とデータの送受信を行う。入出力回路９７は、演出制御用マイコン９１に内蔵されていてもよい。また、ＲＯＭ９３は外付けであってもよい。
【００６０】
サブ制御基板９０には、画像制御基板１００、音声制御基板１０６、ランプ制御基板１０７が接続されている。サブ制御基板９０の演出制御用マイコン９１は、主制御基板８０から受信したコマンドに基づいて、画像制御基板１００のＣＰＵ１０２に画像表示装置７の表示制御を行わせる。画像制御基板１００のＲＡＭ１０４は、画像データを展開するためのメモリである。画像制御基板１００のＲＯＭ１０３には、画像表示装置７に表示される静止画データや動画データ、具体的にはキャラクタ、アイテム、図形、文字、数字および記号等（演出図柄を含む）や背景画像等の画像データが格納されている。画像制御基板１００のＣＰＵ１０２は、演出制御用マイコン９１からの指令に基づいてＲＯＭ１０３から画像データを読み出す。そして、読み出した画像データに基づいて表示制御を実行する。
【００６１】
また演出制御用マイコン９１は、主制御基板８０から受信したコマンドに基づいて、音声制御基板１０６を介してスピーカ６７から音声、楽曲、効果音等を出力する。スピーカ６７から出力する音声等の音響データは、サブ制御基板９０のＲＯＭ９３に格納されている。なお、音声制御基板１０６にＣＰＵを実装してもよく、その場合、そのＣＰＵに音声制御を実行させてもよい。さらにこの場合、音声制御基板１０６にＲＯＭを実装してもよく、そのＲＯＭに音響データを格納してもよい。また、スピーカ６７を画像制御基板１００に接続し、画像制御基板１００のＣＰＵ１０２に音声制御を実行させてもよい。さらにこの場合、画像制御基板１００のＲＯＭ１０３に音響データを格納してもよい。
【００６２】
また演出制御用マイコン９１は、主制御基板８０から受信したコマンドに基づいて、ランプ制御基板１０７を介して枠ランプ６６や盤ランプ５等のランプの点灯制御を行う。詳細には演出制御用マイコン９１は、枠ランプ６６や盤ランプ５等のランプの発光態様を決める発光パターンデータ（点灯/消灯や発光色等を決めるデータ、ランプデータともいう）を作成し、発光パターンデータに従って枠ランプ６６や盤ランプ５などのランプの発光を制御する。なお、発光パターンデータの作成にはサブ制御基板９０のＲＯＭ９３に格納されているデータを用いる。
【００６３】
さらに演出制御用マイコン９１は、主制御基板８０から受信したコマンドに基づいて、ランプ制御基板１０７に中継基板１０８を介して接続された装飾可動体１５を動作させる。なお装飾可動体１５は、図２では図示を省略したが、センター装飾体１０に設けられた可動式のいわゆるギミックのことである。詳細には演出制御用マイコン９１は、装飾可動体１５の動作態様を決める動作パターンデータ（駆動データともいう）を作成し、動作パターンデータに従って装飾可動体１５の動作を制御する。動作パターンデータの作成にはサブ制御基板９０のＲＯＭ９３に格納されているデータを用いる。なお、ランプ制御基板１０７にＣＰＵを実装してもよく、その場合、そのＣＰＵにランプの点灯制御や装飾可動体１５の動作制御を実行させてもよい。さらにこの場合、ランプ制御基板１０７にＲＯＭを実装してもよく、そのＲＯＭに発光パターンや動作パターンに関するデータを格納してもよい。
【００６４】
またサブ制御基板９０には、演出ボタン６３（図１参照）が押下操作されたことを検出する演出ボタン検出ＳＷ（スイッチ）６３ａが接続されている。従って、演出ボタン６３が押下されると、演出ボタン検出ＳＷ６３ａからサブ制御基板９０に対して信号が出力される。
【００６５】
３．大当たり等の説明
本形態のパチンコ遊技機１では、大当たり抽選（特別図柄抽選）の結果として、「大当たり」及び「はずれ」がある。「大当たり」のときには、特別図柄表示器４１に「大当たり図柄」が停止表示される。「はずれ」のときには、特別図柄表示器４１に「ハズレ図柄」が停止表示される。
【００６６】
特別図柄抽選にて大当たりに当選すると、停止表示された特別図柄の種類（つまり大当たりの種類）に応じた開放パターンにて大入賞口３０を開放させる「大当たり遊技」が実行される。大当たり遊技は、特別遊技に相当する。
【００６７】
大当たり遊技は、本形態では、複数回のラウンド遊技（単位開放遊技）と、初回のラウンド遊技が開始される前のオープニング（ＯＰとも表記する）と、最終回のラウンド遊技が終了した後のエンディング（ＥＤとも表記する）とを含んでいる。各ラウンド遊技は、ＯＰの終了又は前のラウンド遊技の終了によって開始し、次のラウンド遊技の開始又はＥＤの開始によって終了する。ラウンド遊技間の大入賞口の閉鎖の時間（インターバル時間）は、その閉鎖前の開放のラウンド遊技に含まれる。
【００６８】
特別図柄抽選の結果、大当たりに当選すると、１６Ｒにわたって大入賞口３０を開放させる大当たり遊技が実行される。より詳細には本形態では、図８（Ａ）に示すように、第１特別図柄（特図１）の抽選にて当選可能な大当たりの種別として、「確変時短Ａ大当たり（第１大当たり）」及び「確変非時短大当たり」がある。また、第２特別図柄（特図２）の抽選にて当選可能な大当たりの種別として、「確変時短Ａ大当たり」及び「確変時短Ｂ大当たり（第２大当たり）」がある。なお、いずれの大当たりであっても、１Ｒあたりの大入賞口３０の開放回数は１回であり、その最大開放時間は２９．５秒である。
【００６９】
また、各大当たりと、その大当たりへの当選に基づく大当たり遊技後の遊技状態との関係は、次の通りである。なお遊技状態については後に詳述する。
「確変非時短大当たり」  …  「高確低ベース」
「確変時短Ａ大当たり」  …  「高確高ベース」
「確変時短Ｂ大当たり」  …  「高確高ベース」
【００７０】
なお、特図１の抽選によって「確変時短Ａ大当たり」に当選した場合には、第１特別図柄表示器４１ａに「特図１＿確変時短図柄Ａ」が停止表示される。また、特図１の抽選によって「確変非時短大当たり」に当選した場合には、第１特別図柄表示器４１ａに「特図１＿確変非時短図柄」が停止表示される。
【００７１】
また、特図２の抽選によって「確変時短Ａ大当たり」に当選した場合には、第２特別図柄表示器４１ｂに「特図２＿確変時短図柄Ａ」が停止表示される。また、特図２の抽選によって「確変時短Ｂ大当たり」に当選した場合には、第２特別図柄表示器４１ｂに「特図２＿確変時短図柄Ｂ」が停止表示される。
【００７２】
図８（Ｂ）に示すように、特図１の抽選における各大当たりへの振分確率は、「確変時短Ａ大当たり」が５０％、「確変非時短大当たり」が５０％となっている。よって、特図１の抽選における、高確率状態への突入率（「高確率状態突入率」又は「確変突入率」という）は、１００％である。しかし、特図１の抽選における、後述する時短状態への突入率（「入球容易状態突入率」、「高ベース状態突入率」又は「時短突入率」という）は、５０％である。
【００７３】
本形態では、後述する高ベース状態への制御は必ず時短状態への制御に伴って行われる。そのため、時短状態に制御されることなく高確率状態に制御された場合には、低ベース状態である。低ベース状態では電チュー２２に係る第２始動口２１への入賞が容易にならない。よって、低ベース状態では第２始動口２１ではなく第１始動口２０を狙って遊技を行う必要がある。そのため、第１始動口２０への入賞時に第１転落領域７２（図３参照）を遊技球が通過することとなり、大当たり遊技の終了後すぐに、高確率状態から通常確率状態に転落することとなる。従って、特図１の抽選における実質的な確変突入率は、「確変非時短大当たり」への振分率５０％を除いた５０％となる。
【００７４】
また、特図２の抽選における各大当たりへの振分確率は、「確変時短Ａ大当たり」が２０％、「確変時短Ｂ大当たり」が８０％となっている。よって、特図２の抽選における確変突入率は、特図１の抽選と同様、１００％である。また、特図２の抽選における時短突入率は、特図１の抽選よりも高く、１００％である。
【００７５】
本形態では、時短状態への制御に伴って高ベース状態に制御されると、電チュー２２に係る第２始動口２１への入球が容易となる。第２始動口２１へ入賞した遊技球は、ほぼ必ず第２非転落領域７９（図４参照）を通過する。従って、時短状態が続く限り高確率状態から通常確率状態へ転落することはない。従って、特図２の抽選における実質的な確変突入率は、名目的な確変突入率と同じ、１００％となる。
【００７６】
さらに本形態では、時短回数（時短状態において実行される特別図柄の変動表示の上限回数）は、特別図柄の種類と大当たり当選時の遊技状態に基づいて決定される（図８（Ｂ）参照）。具体的には、「特図１＿確変時短図柄Ａ」に当選した場合には、当選時の遊技状態が非時短状態であれば、時短回数は１００回に設定される。また、当選時の遊技状態が高確率状態且つ時短状態であれば、時短回数は１００００回に設定される。つまり、実質的に次回の大当たりに当選するまで時短状態に制御され続ける。
【００７７】
これに対して、「特図２＿確変時短図柄Ａ」に当選した場合には、当選時の遊技状態が高確率状態且つ時短状態であれば、時短回数は１００回に設定される。また、「特図２＿確変時短図柄Ｂ」に当選した場合には、当選時の遊技状態が高確率状態且つ時短状態であれば、時短回数は１００００回に設定される。つまり、実質的に次回の大当たりに当選するまで時短状態に制御され続ける。
【００７８】
なお、「特図２＿確変時短図柄Ａ」や「特図２＿確変時短図柄Ｂ」に当選した場合に、当選時の遊技状態が非時短状態であれば、時短回数を設定しない（時短状態に制御しない）。非時短状態であるのに特図２の抽選がなされていることは、本形態では正しい遊技方法で（つまり左打ちで）遊技されていないことを意味している。よって、このような攻略的な打方によって特図２の抽選がなされて大当たりを得ても時短状態に制御されないようにすることで、攻略的な打ち方がなされるのを抑制するようにしている。
【００７９】
時短回数が１００回に設定された場合には、大当たりに当選することなく１００回におよぶ特別図柄の変動表示の実行が終了すると、時短状態への制御が終了して非時短状態に制御される。従って、高確率状態への制御も、概ね１００回にて終了する。よって、所謂ＳＴ機（確変の回数切りの遊技機）としての遊技性（第１の遊技性）が実現されることとなる。なお正確には、非時短状態に制御された時点で溜まっている第２特図保留に基づく特別図柄抽選と、大当たり遊技の終了前に生じた第１特図保留に基づく特別図柄抽選は、高確率状態にて行われる。そのため、大当たり遊技の終了後の特別図柄の変動表示の実行回数が時短回数を超えても、何変動かは多く高確率状態に制御されることがある。
【００８０】
一方、時短回数が１００００回に設定された場合（実質的に次回大当たり当選まで時短状態に制御され続ける場合）には、高確率状態への制御も実質的に次回大当たり当選まで継続する。つまり、所謂確変ループ機としての遊技性（第２の遊技性）が実現されることとなる。
【００８１】
特に本形態では、特図１の抽選にて当選可能な時短図柄（時短状態への制御契機となる図柄）は、時短回数が１００回に設定される「特図１＿確変時短図柄Ａ」のみである。これに対して、特図２の抽選では、２０％の振分率で時短回数が１００回に設定される「特図２＿確変時短図柄Ａ」に当選し、残りの８０％の振分率で次回大当たり当選まで時短状態が続く「特図２＿確変時短図柄Ｂ」に当選する。よって、まず初当たりとして特図１の抽選にて「特図１＿確変時短図柄Ａ」に当選してＳＴ機として機能させた後、時短状態にて１００回の特別図柄の変動表示がなされるまでの間に特図２の抽選にて「特図２＿確変時短図柄Ｂ」に当選して、確変ループ機として機能させることができるかという斬新な遊技性を実現することが可能となっている（図４８参照）。なお、初当たりとは、通常遊技状態にて当選する大当たりのことである。また、一旦確変ループ機として機能すると、以降８０％の確率でこの遊技性が継続することとなる。この点については、後述する。
【００８２】
ここで本パチンコ遊技機１では、大当たりか否かの抽選は「大当たり乱数」に基づいて行われ、当選した大当たりの種別の抽選は「当たり種別乱数」に基づいて行われる。図９（Ａ）に示すように、大当たり乱数は０〜６２９までの範囲で値をとる。当たり種別乱数は、０〜９までの範囲で値をとる。なお、第１始動口２０への入賞に基づいて取得される乱数には、大当たり乱数および当たり種別乱数の他に、「リーチ乱数」および「変動パターン乱数」がある。
【００８３】
リーチ乱数は、大当たり判定の結果がはずれである場合に、その結果を示す演出図柄変動演出においてリーチを発生させるか否かを決める乱数である。リーチとは、複数の演出図柄のうち変動表示されている演出図柄が残り一つとなっている状態であって、変動表示されている演出図柄がどの図柄で停止表示されるか次第で大当たり当選を示す演出図柄の組み合わせとなる状態（例えば「７↓７」の状態）のことである。なお、リーチ状態において停止表示されている演出図柄は、表示画面７ａ内で多少揺れているように表示されていたり、拡大と縮小を繰り返すように表示されていたりしてもよい。このリーチ乱数は、０〜１２６までの範囲で値をとる。
【００８４】
また、変動パターン乱数は、変動時間を含む変動パターンを決めるための乱数である。変動パターン乱数は、０〜９９までの範囲で値をとる。また、ゲート２８への通過に基づいて取得される乱数には、図９（Ｂ）に示す普通図柄乱数（当たり乱数）がある。普通図柄乱数は、電チュー２２を開放させる補助遊技を行うか否かの抽選（普通図柄抽選）のための乱数である。普通図柄乱数は、０〜２４０までの範囲で値をとる。
【００８５】
４．遊技状態の説明
次に、本形態のパチンコ遊技機１の遊技状態に関して説明する。パチンコ遊技機１の特別図柄表示器４１および普通図柄表示器４２には、それぞれ、確率変動機能と変動時間短縮機能がある。特別図柄表示器４１の確率変動機能が作動している状態を「高確率状態」といい、作動していない状態を「通常確率状態（非高確率状態）」という。高確率状態では、大当たり確率が通常確率状態よりも高くなっている。すなわち、大当たりと判定される大当たり乱数の値が通常確率状態で用いる大当たり判定テーブルよりも多い大当たり判定テーブルを用いて、大当たり判定を行う（図１０（Ａ）参照）。つまり、特別図柄表示器４１の確率変動機能が作動すると、作動していないときに比して、特別図柄表示器４１による特別図柄の可変表示の表示結果（すなわち停止図柄）が大当たり図柄となる確率が高くなる。
【００８６】
また、特別図柄表示器４１の変動時間短縮機能が作動している状態を「時短状態」といい、作動していない状態を「非時短状態」という。時短状態では、特別図柄の変動時間（変動表示開始時から表示結果の導出表示時までの時間）が、非時短状態よりも短くなっている。すなわち、変動時間の短い変動パターンが選択されることが非時短状態よりも多くなるように定められた変動パターン判定テーブルを用いて、変動パターンの判定を行う（図１１参照）。つまり、特別図柄表示器４１の変動時間短縮機能が作動すると、作動していないときに比して、特別図柄の可変表示の変動時間として短い変動時間が選択されやすくなる。その結果、時短状態では、特図保留の消化のペースが速くなり、始動口への有効な入賞（特図保留として記憶され得る入賞）が発生しやすくなる。そのため、スムーズな遊技の進行のもとで大当たりを狙うことができる。
【００８７】
特別図柄表示器４１の確率変動機能と変動時間短縮機能とは同時に作動することもあるし、片方のみが作動することもある。そして、普通図柄表示器４２の確率変動機能および変動時間短縮機能は、特別図柄表示器４１の変動時間短縮機能に同期して作動するようになっている。すなわち、普通図柄表示器４２の確率変動機能および変動時間短縮機能は、時短状態において作動し、非時短状態において作動しない。よって、時短状態では、普通図柄抽選における当選確率が非時短状態よりも高くなっている。すなわち、当たりと判定される普通図柄乱数（当たり乱数）の値が非時短状態で用いる普通図柄当たり判定テーブルよりも多い普通図柄当たり判定テーブルを用いて、当たり判定（普通図柄の判定）を行う（図１０（Ｄ）参照）。つまり、普通図柄表示器４２の確率変動機能が作動すると、作動していないときに比して、普通図柄表示器４２による普通図柄の可変表示の表示結果が、普通当たり図柄となる確率が高くなる。
【００８８】
また時短状態では、普通図柄の変動時間が非時短状態よりも短くなっている。本形態では、普通図柄の変動時間は非時短状態では３０秒であるが、時短状態では１秒である（図１０（Ｅ）参照）。さらに時短状態では、補助遊技における電チュー２２の開放時間が、非時短状態よりも長くなっている（図１２参照）。すなわち、電チュー２２の開放時間延長機能が作動している。加えて時短状態では、補助遊技における電チュー２２の開放回数が非時短状態よりも多くなっている（図１２参照）。すなわち、電チュー２２の開放回数増加機能が作動している。
【００８９】
普通図柄表示器４２の確率変動機能と変動時間短縮機能、および電チュー２２の開放時間延長機能と開放回数増加機能が作動している状況下では、これらの機能が作動していない場合に比して、電チュー２２が頻繁に開放され、第２始動口２１へ遊技球が頻繁に入賞することとなる。その結果、発射球数に対する賞球数の割合であるベースが高くなる。従って、これらの機能が作動している状態を「高ベース状態」といい、作動していない状態を「低ベース状態」という。高ベース状態では、手持ちの遊技球を大きく減らすことなく大当たりを狙うことができる。なお、高ベース状態とは、いわゆる電サポ制御（電チュー２２により第２始動口２１への入賞をサポートする制御）が実行されている状態である。よって、高ベース状態を電サポ制御状態ともいう。これに対して、低ベース状態を非電サポ制御状態ともいう。高ベース状態は入球容易状態に相当し、低ベース状態は非入球容易状態に相当する。
【００９０】
高ベース状態（電サポ制御状態）は、上記の全ての機能が作動するものでなくてもよい。すなわち、普通図柄表示器４２の確率変動機能、普通図柄表示器４２の変動時間短縮機能、電チュー２２の開放時間延長機能、および電チュー２２の開放回数増加機能のうち一つ以上の機能の作動によって、その機能が作動していないときよりも電チュー２２が開放され易くなっていればよい。また、高ベース状態（電サポ制御状態）は、時短状態に付随せずに独立して制御されるようにしてもよい。
【００９１】
本形態のパチンコ遊技機１では、「確変時短Ａ大当たり」及び「確変時短Ｂ大当たり」（図８参照）への当選に基づく大当たり遊技後の遊技状態は、高確率状態かつ時短状態かつ高ベース状態である。この遊技状態を特に、「高確高ベース状態」という。高確高ベース状態は、転落領域（第１転落領域７２又は第２転落領域７７）への通過がなければ、所定回数（本形態では１００回又は１００００回）の特別図柄の可変表示が実行されるか、又は、大当たりに当選してその大当たり遊技が実行されることにより終了する。
【００９２】
また、パチンコ遊技機１を初めて遊技する場合において電源投入後の遊技状態は、通常確率状態（非高確率状態すなわち低確率の状態）かつ非時短状態かつ低ベース状態である。この遊技状態を特に、「低確低ベース状態」という。低確低ベース状態を「通常遊技状態」と称することもある。なお、「確変非時短大当たり」（図８参照）への当選に基づく大当たり遊技後の遊技状態は、高確率状態かつ非時短状態かつ低ベース状態であり、この遊技状態を特に「高確低ベース状態」というが、本形態ではこの場合はすぐに第１始動口２０への入賞に基づき高確率状態から通常確率状態へ転落する。そのため、「確変非時短大当たり」への当選時は、大当たり遊技の終了後の遊技状態は実質的には通常遊技状態となる。
【００９３】
また本形態では、大当たり遊技（特別遊技）の実行中の状態を「大当たり遊技状態（特別遊技状態）」と称する。
【００９４】
５．遊技制御用マイコン８１の動作
［主制御メイン処理］次に図１３〜図３７に基づいて遊技制御用マイコン８１の動作について説明する。なお、遊技制御用マイコン８１の動作説明にて登場するカウンタ、タイマ、フラグ、ステータス、バッファ等は、ＲＡＭ８４に設けられている。主制御基板８０に備えられた遊技制御用マイコン８１は、パチンコ遊技機１の電源がオンされると、ＲＯＭ８３から図１３に示した主制御メイン処理のプログラムを読み出して実行する。同図に示すように、主制御メイン処理では、まず初期設定を行う（ステップS001）。初期設定では例えば、スタックの設定、定数設定、割り込み時間の設定、ＣＰＵ８２の設定、ＳＩＯ、ＰＩＯ、ＣＴＣ（割り込み時間の管理のための回路）の設定や、各種のフラグ、ステータス及びカウンタ等のリセット等を行う。フラグの初期値は「０」つまり「ＯＦＦ」であり、ステータスの初期値は「１」であり、カウンタの初期値は「０」である。なお初期設定(S001)は、電源投入後に一度だけ実行され、それ以降は実行されない。
【００９５】
初期設定(S001)に次いで、割り込みを禁止し(S002)、普通図柄・特別図柄主要乱数更新処理(S003)を実行する。この普通図柄・特別図柄主要乱数更新処理(S003)では、図９に示した種々の乱数カウンタ値を１加算して更新する。各乱数カウンタ値は上限値に至ると「０」に戻って再び加算される。なお各乱数カウンタの周期初期値は「０」以外の値であってもよく、ランダムに変更されるものであってもよい。
【００９６】
普通図柄・特別図柄主要乱数更新処理(S003)が終了すると、割り込みを許可する(S004)。割り込み許可中は、メイン側タイマ割り込み処理(S005)の実行が可能となる。メイン側タイマ割り込み処理(S005)は、例えば４ｍｓｅｃ周期でＣＰＵ８２に繰り返し入力される割り込みパルスに基づいて実行される。すなわち、例えば４ｍｓｅｃ周期で実行される。そして、メイン側タイマ割り込み処理(S005)が終了してから、次にメイン側タイマ割り込み処理(S005)が開始されるまでの間に、普通図柄・特別図柄主要乱数更新処理(S003)による各種カウンタ値の更新処理が繰り返し実行される。なお、割り込み禁止状態のときにＣＰＵ８２に割り込みパルスが入力された場合は、メイン側タイマ割り込み処理(S005)はすぐには開始されず、割り込み許可(S004)がされてから開始される。
【００９７】
［メイン側タイマ割り込み処理］次に、メイン側タイマ割り込み処理(S005)について説明する。図１４に示すように、メイン側タイマ割り込み処理(S005)では、まず出力処理(S101)を実行する。出力処理(S101)では、以下に説明する各処理において主制御基板８０のＲＡＭ８４に設けられた出力バッファにセットされたコマンド等を、サブ制御基板９０や払出制御基板１１０等に出力する。次いで遊技制御用マイコン８１は、後述する入力処理(S102)を実行する。
【００９８】
続いて遊技制御用マイコン８１は、普通図柄・特別図柄主要乱数更新処理(S103)を実行する。普通図柄・特別図柄主要乱数更新処理(S103)は、図１３の主制御メイン処理で行う普通図柄・特別図柄主要乱数更新処理(S003)と同じである。即ち、図９に示した各種乱数カウンタ値（普通図柄乱数カウンタ値も含む）の更新処理は、メイン側タイマ割り込み処理(S005)の実行期間と、それ以外の期間（メイン側タイマ割り込み処理(S005)の終了後、次のメイン側タイマ割り込み処理(S005)が開始されるまでの期間）との両方で行われている。
【００９９】
普通図柄・特別図柄主要乱数更新処理(S103)に次いで、後述する始動口センサ検出処理(S104)、普通動作処理(S105)、特別動作処理(S106)、および保留球数処理(S108)を実行する。その後、その他の処理(S109)を実行して、メイン側タイマ割り込み処理(S005)を終了する。その他の処理(S109)としては、後述の特図２保留球数に基づいて第２特図保留表示器４３ｂをその数を示す表示態様に制御したり、後述の特図１保留球数に基づいて第１特図保留表示器４３ａをその数を示す表示態様に制御したりする。そして、次にＣＰＵ８２に割り込みパルスが入力されるまでは主制御メイン処理のステップS002〜S004の処理が繰り返し実行され（図１３参照）、割り込みパルスが入力されると（約４ｍｓｅｃ後）、再びメイン側タイマ割り込み処理(S005)が実行される。再び実行されたメイン側タイマ割り込み処理(S005)の出力処理(S101)においては、前回のメイン側タイマ割り込み処理(S005)にてＲＡＭ８４の出力バッファにセットされたコマンド等が出力される。
【０１００】
［入力処理］入力処理(S102)では主に、パチンコ遊技機１に取り付けられている各種センサ（転落用第１始動口センサ２０ａ、非転落用第１始動口センサ２０ｂ、入賞カウント用第２始動口センサ２１ｃ、大入賞口センサ３０ａ、普通入賞口センサ２７ａ等（図６参照））からの検知信号を読み込み、入賞口の種類に応じた数（例えば大入賞口であれば１５球、第１始動口２０であれば３球、第２始動口２１であれば２球、普通入賞口２７であれば１０球）の賞球を払い出す旨を指定する賞球コマンドをＲＡＭ８４の出力バッファにセットする。
【０１０１】
図１５に示すように、入力処理(S102)において遊技制御用マイコン８１は、入賞カウント用第２始動口センサ２１ｃからの検知信号があれば(S121でYES)、賞球コマンドをセットするとともに(S122)、後述する普通動作ステータスが「４」であるか否かを判定する(S123)。普通動作ステータスが「４」であることは、補助遊技の実行中であることを意味している（図１９参照）。普通動作ステータスが「４」であれば(S123でYES)、１回の補助遊技における第２始動口２１への総入賞球数をカウントするための第２始動口入賞カウンタの値を１インクリメントして(S124)、ステップS125に進む。入賞カウント用第２始動口センサ２１ｃからの検知信号がない場合や(S121でNO)、普通動作ステータスが「４」でない場合は(S123でNO)、そのままステップS125に進む。
【０１０２】
ステップS125ではその他処理を行う。その他処理(S125)では、入賞カウント用第２始動口センサ２１ｃ以外の各種センサからの検知信号に基づいて、入賞口の種類に応じた賞球を払い出すための賞球コマンドをセットしたり、下皿６２の満杯を検出する下皿満杯スイッチからの検出信号に基づいて、下皿満杯データをＲＡＭ８４の出力バッファに記憶したりする。
【０１０３】
なお、この入力処理(S102)でセットされた賞球コマンドは、出力処理(S101)において、払出制御基板(賞球払出手段)１１０に送信される。賞球コマンドを受けた払出制御基板１１０は、賞球コマンドが示す数の賞球を払い出す。
【０１０４】
［始動口センサ検出処理］図１６に示すように、始動口センサ検出処理(S104)ではまず、ゲート２８に遊技球が通過したか否か、即ち、ゲートセンサ２８ａによって遊技球が検出されたか否か判定する(S201)。ゲート２８を遊技球が通過していれば(S201でYES)、後述のゲート通過処理(S202)を行う。一方、遊技球がゲート２８を通過していなければ(S201でNO)、ゲート通過処理(S202)をパスしてステップS203に進む。
【０１０５】
ステップS203では、第２始動口２１に遊技球が入賞したか否か、即ち、転落用第２始動口センサ２１ａ又は非転落用第２始動口センサ２１ｂによって遊技球が検出されたか否か判定する(S203)。第２始動口２１に遊技球が入賞していない場合(S203でNO)にはステップS208に進むが、第２始動口２１に遊技球が入賞した場合には(S203でYES)、特図２保留球数（第２特図保留の数、具体的にはＲＡＭ８４に設けた第２特図保留の数をカウントするカウンタの数値）が「４」（上限数）に達しているか否か判定する(S204)。そして、特図２保留球数が「４」に達している場合(S204でYES)には、ステップS208に進むが、特図２保留球数が「４」未満である場合には(S204でNO)、特図２保留球数に１を加算する(S205)。
【０１０６】
続いて特図２関係乱数取得処理(S206)を行う。特図２関係乱数取得処理(S206)では、大当たり乱数カウンタ値（ラベル−ＴＲＮＤ−Ａの値）、当たり種別乱数カウンタ値（ラベル−ＴＲＮＤ−ＡＳの値）、リーチ乱数カウンタ値（ラベル−ＴＲＮＤ−ＲＣの値）及び変動パターン乱数カウンタ値（ラベル−ＴＲＮＤ−Ｔ１の値）を取得し（つまり図９（Ａ）に示す乱数値群を取得し）、それら取得乱数値を第２特図保留記憶部８５ｂのうち現在の特図２保留球数に応じた記憶領域に格納する。その後遊技制御用マイコン８１は、後述する転落抽選処理(S207)を行う。
【０１０７】
続いて始動口センサ検出処理(S104)では、第１始動口２０に遊技球が入賞したか否か、即ち、転落用第１始動口センサ２０ａ又は非転落用第１始動口センサ２０ｂによって遊技球が検出されたか否かを判定する(S208)。第１始動口２０に遊技球が入賞していない場合(S208でNO)には処理を終えるが、第１始動口２０に遊技球が入賞した場合には(S208でYES)、特図１保留球数（第１特図保留の数、具体的にはＲＡＭ８４に設けた第１特図保留の数をカウントするカウンタの数値）が「４」（上限数）に達しているか否か判定する(S209)。そして、特図１保留球数が「４」に達している場合(S209でYES)には、処理を終えるが、特図１保留球数が「４」未満である場合には(S209でNO)、特図１保留球数に「１」を加算する(S210)。
【０１０８】
続いて特図１関係乱数取得処理(S211)を行う。特図１関係乱数取得処理(S211)では、特図２関係乱数取得処理(S206)と同様に、大当たり乱数カウンタ値（ラベル−ＴＲＮＤ−Ａの値）、当たり種別乱数カウンタ値（ラベル−ＴＲＮＤ−ＡＳの値）、リーチ乱数カウンタ値（ラベル−ＴＲＮＤ−ＲＣの値）及び変動パターン乱数カウンタ値（ラベル−ＴＲＮＤ−Ｔ１の値）を取得し（つまり図９（Ａ）に示す乱数値群を取得し）、それら取得乱数値を第１特図保留記憶部８５ａのうち現在の特図１保留球数に応じた記憶領域に格納する。その後遊技制御用マイコン８１は、後述する転落抽選処理(S212)を行う。
【０１０９】
［転落抽選処理］図１７に示すように転落抽選処理(S207又はS212)ではまず、遊技球が転落領域（第１転落領域７２又は第２転落領域７７のいずれか）を通過したか否かを判定する(S301)。すなわち、転落用第１始動口センサ２０ａ又は転落用第２始動口センサ２１ａのいずれかによる遊技球の検知があったか否かを判定する。判定結果がＮＯであれば本処理を終える。これに対して、判定結果がＹＥＳであれば、続いて確変フラグがＯＮであるか否かを判定する(S302)。確変フラグは、現在の遊技状態が高確率状態であることを示すフラグである。
【０１１０】
ステップS302の判定結果がＮＯであれば本処理を終える。これに対して、ステップS302の判定結果がＹＥＳであれば、転落フラグをＯＮするとともに(S303)、ＲＡＭ８４に設けた転落カウンタに、現在の特図保留球数の値をセットする(S304)。詳細にはステップS304では、第２始動口２１への入賞に基づく転落抽選処理(S207)であれば、特図２保留球数の値を転落カウンタにセットする。また、第１始動口２０への入賞に基づく転落抽選処理(S212)であれば、特図１保留球数の値を転落カウンタにセットする。このような転落抽選処理を行うことによって、高確率状態中に第２始動口２１へ入賞した遊技球が第２転落領域７７を通過した場合には、その入賞に基づく大当たり判定から通常確率状態に制御し、また、第１始動口２０へ入賞した遊技球が第１転落領域７２を通過した場合には、その入賞に基づく大当たり判定から通常確率状態に制御するようにしている。
【０１１１】
[ゲート通過処理]図１８に示すようにゲート通過処理(S202)では、普通図柄保留球数（普図保留の数、具体的にはＲＡＭ８４に設けた普図保留の数をカウントするカウンタの値）が「４」以上であるか否か判定し(S401)、普通図柄保留球数が「４」以上であれば(S401でYES）、処理を終了する。一方、普通図柄保留球数が「４」以上でなければ(S401でNO)、普通図柄保留球数に「１」を加算し(S402)、普通図柄乱数取得処理(S403)を行う。普通図柄乱数取得処理(S403)では、普通図柄乱数カウンタ値（ラベル−ＴＲＮＤ−Ｈの値、図９（Ｂ））を取得し、その取得乱数値をＲＡＭ８４の普図保留記憶部８６のうち現在の普通図柄保留球数に応じた記憶領域に格納する。
【０１１２】
[普通動作処理]遊技制御用マイコン８１は、始動口センサ検出処理(S104)に次いで、図１９に示す普通動作処理(S105)を行う。普通動作処理(S105)では、普通図柄表示器４２および電チュー２２に関する処理を４つの段階に分け、それらの各段階に「普通動作ステータス１，２，３，４」を割り当てている。そして、「普通動作ステータス」が「１」である場合には(S601でYES)、普通図柄待機処理(S602)を行い、「普通動作ステータス」が「２」である場合には(S601でNO、S603でYES)、普通図柄変動中処理(S604)を行い、「普通動作ステータス」が「３」である場合には(S601,S603で共にNO、S605でYES)、普通図柄確定処理(S606)を行い、「普通動作ステータス」が「４」である場合には(S601,S603,S605の全てがNO)、普通電動役物処理(S607)を行う。なお普通動作ステータスは、初期設定では「１」である。
【０１１３】
［普通図柄待機処理］図２０に示すように、普通図柄待機処理(S602)ではまず、普通図柄の保留球数が「０」であるか否かを判定し(S701)、「０」であればこの処理を終える。一方「０」でなければ、後述する普通図柄当たり判定処理を行う(S702)。
【０１１４】
普通図柄当たり判定処理(S702)に次いで、遊技制御用マイコン８１は、普通図柄変動パターン選択処理を行う(S703)。普通図柄変動パターン選択処理では、図１０（Ｅ）に示す普通図柄変動パターン選択テーブルを参照して、遊技状態が時短状態であれば、普通図柄の変動時間が１秒の普通図柄変動パターンを選択する。一方、遊技状態が非時短状態であれば、普通図柄の変動時間が３０秒の普通図柄変動パターンを選択する。なお普通図柄表示器４２による普通図柄の変動表示（可変表示）の結果として停止表示（導出表示）される図柄は、普通図柄抽選の結果が「当たり」である場合は普通当たり図柄（「○○」、○：点灯、●：消灯）であり、「ハズレ」である場合は普通ハズレ図柄（「●○」）である。
【０１１５】
普通図柄変動パターン選択処理(S703)に次いで遊技制御用マイコン８１は、普通図柄保留球数を１ディクリメントする(S704)。そして、普図保留記憶部８６における各普図保留の格納場所（記憶領域）を現在の位置から読み出される側に一つシフトするとともに、普図保留記憶部８６における保留４個目に対応する記憶領域（読み出される側から最も遠い記憶領域）をクリアする(S705)。このようにして、普図保留が保留された順に消化されるようにしている。
【０１１６】
続いて遊技制御用マイコン８１は、普通図柄変動開始処理を行う(S706)。普通図柄変動開始処理では、ステップS703で選択した普通図柄変動パターンにて普通図柄の変動表示を開始するとともに、普通動作ステータスを「２」にセットする。また普通図柄変動開始処理では、サブ制御基板９０に普通図柄の変動開始を知らせるため、普通図柄変動開始コマンドをセットする。
【０１１７】
［普通図柄当たり判定処理］図２１に示すように、普通図柄当たり判定処理(S702)ではまず、普図保留記憶部８６に格納されている普通図柄乱数カウンタ値（ラベル−ＴＲＮＤ−Ｈの値）を読み出す(S801)。次いで、普通図柄当たり判定テーブル（図１０（Ｄ））のアドレスをセットする(S802)。続いて、時短フラグがＯＮか否か（すなわち遊技状態が時短状態であるか否か）を判定する(S803)。時短状態であれば、図１０（Ｄ）に示す普通図柄当たり判定テーブルのうち時短状態用のテーブル（当たり判定値が「１」〜「２４０」）に基づいて、当たりか否か判定する(S804)。すなわち、読み出した普通図柄乱数カウンタ値（ラベル−ＴＲＮＤ−Ｈ）が当たり判定値の何れかと一致するか否か判定する。これに対して、非時短状態であれば、図１０（Ｄ）に示す普通図柄当たり判定テーブルのうち非時短状態用のテーブル（当たり判定値が「２１０」〜「２４０」）に基づいて、当たりか否か判定する(S805)。
【０１１８】
そして当たり判定(S804,S805)の結果が「当たり」であれば、普通当たりフラグをＯＮするとともに(S806)、普通当たり図柄に対応する普図停止図柄データ（１１Ｈ）をＲＡＭ８４に設けた普図バッファにセットして(S807)、本処理を終える。これに対して、当たり判定(S804,S805)の結果が「ハズレ」であれば、普通ハズレ図柄に対応する普図停止図柄データ（０１Ｈ）を普図バッファにセットして(S807)、本処理を終える。なお本形態では、非時短状態であってもおよそ１／８の確率で普通図柄抽選に当選し、電チュー２２が開放されるようになっている。これは、大当たり遊技中に、第２特図保留を発生可能とするためである。なお、大当たり遊技中に普通図柄抽選が頻繁に実行されるように、非時短状態における普通図柄の変動時間を本形態よりも短く（例えば２〜３秒等に）してもよい。
【０１１９】
［普通図柄変動中処理］図２２に示すように、普通図柄変動中処理(S604)ではまず、普通図柄の変動時間が経過したか否か判定し(S1001)、経過していなければ処理を終える。一方、経過していれば(S1001でYES)、普通図柄変動停止コマンドをセットするとともに(S1002)、普通動作ステータスを「３」にセット(S1003)する。そして、普通図柄の変動表示を、普通図柄乱数の判定結果に応じた表示結果（普通当たり図柄又は普通ハズレ図柄）で停止させる等のその他の処理を行ってから(S1004)、この処理を終える。
【０１２０】
［普通図柄確定処理］図２３に示すように、普通図柄確定処理(S606)ではまず、普通図柄の停止時間（本形態では５００ｍｓ）が経過したか否か判定し(S1101)、経過していなければ処理を終える。一方、経過していれば(S1101でYES)、続いて、普通当たりフラグがＯＮであるか否かを判定する(S1102)。普通当たりフラグがＯＮでなければ(S1102でNO)、普通動作ステータスを「１」にセットして(S1108)、この処理を終える。
【０１２１】
一方、普通当たりフラグがＯＮであれば(S1102でYES)、続いて時短フラグがＯＮであるか否か、すなわち時短状態中か否かを判定する(S1103)。そして時短状態中であれば、電チュー２２の開放パターンとして時短状態中の開放パターンをセットする(S1104)。時短状態中の開放パターンとは、図１２の電チュー開放ＴＢＬ２に示すように、一回当たり２．０秒の開放を３回繰り返す開放パターンである。従って、電チュー２２の開放回数をカウントする電チュー開放カウンタに「３」をセットする。なお開放間のインターバル時間は１秒である。
【０１２２】
これに対して、非時短状態中であれば(S1103でNO)、電チュー２２の開放パターンとして非時短状態中の開放パターンをセットする(S1105)。非時短状態中の開放パターンとは、図１２の電チュー開放ＴＢＬ１に示すように、一回当たり０．２秒の開放を１回行う開放パターンである。従って、電チュー開放カウンタに「１」をセットする。そして、開放パターンのセット(S1104、S1105)に続いて、補助遊技のオープニングを開始し(S1106)、普通動作ステータスを「４」にセットして(S1107)、本処理を終える。
【０１２３】
［普通電動役物処理］図２４に示すように、普通電動役物処理(S607)ではまず、普通当たり終了フラグがＯＮであるか否かを判定する(S1201)。普通当たり終了フラグは、補助遊技において電チュー２２の開放が全て終了したことを示すフラグである。
【０１２４】
普通当たり終了フラグがＯＮでなければ(S1201でNO)、第２始動口２１の開放中か否か（すなわち電チュー２２の開放中か否か）を判定する(S1202)。開放中でなければ(S1202でNO)、第２始動口２１を開放させる時間に至ったか否か、すなわち補助遊技におけるオープニングの時間（開放前インターバルの時間）が経過して第２始動口２１の開放を開始する時間に至ったか、又は、開放間のインターバル時間が経過して次の開放を開始する時間に至ったか否かを判定し(S1203)、至っていなければ処理を終え、至っていれば第２始動口２１を開放させる(S1204)。
【０１２５】
一方、第２始動口２１の開放中であれば(S1202でYES)、実行中の補助遊技における第２始動口２１への総入賞個数が規定の最大入賞個数（本形態では９個）に達しているか否かを判定する(S1205)。すなわち、第２始動口２１への総入賞個数を示す第２始動口入賞カウンタの値が「９」であるか否かを判定する。ステップS1205において規定入賞個数に達していなければ(S1205でNO)、続いて、第２始動口２１を閉鎖させる時間に至ったか否か（すなわち第２始動口２１を開放してから所定の開放時間が経過したか否か）を判定する(S1206)。そして、第２始動口２１の開放時間が経過していなければ(S1206でNO)、処理を終える。
【０１２６】
これに対して、規定入賞個数に達している場合(S1205でYES)又は第２始動口２１の開放時間が経過した場合(S1206でYES)、すなわち２つの電チュー開放終了条件のうちのいずれかが満たされている場合には、第２始動口２１を閉鎖（閉塞）する(S1207)。
【０１２７】
そして第２始動口２１の閉鎖(S1207)に次いで、電チュー開放カウンタの値を１ディクリメントし(S1208)、電チュー開放カウンタの値が「０」であるか否か判定する(S1209)。「０」でなければ(S1209でNO)、再び電チュー２２を開放させるためにそのまま処理を終える。一方「０」であれば(S1209でYES)、補助遊技を終了させるべく、補助遊技のエンディングを開始し(S1210)、普通当たり終了フラグをセットして(S1211)、本処理を終える。なお電チュー開放カウンタは、時短状態中であれば電チュー２２の開放（開閉部材２３の開放）が３回なされると「０」になり、非時短状態中であれば電チュー２２の開放が１回なされると「０」になる。
【０１２８】
これに対してステップS1201において普通当たり終了フラグがＯＮであれば(S1201でYES)、補助遊技における電チュー２２の開放動作は全て終了しているので、続いて、補助遊技における閉鎖後インターバルの時間（補助遊技のエンディングの時間）が経過したか否かを判定する(S1212)。経過していなければ本処理を終える。一方、経過していれば(S1212でYES)、普通当たり終了フラグをＯＦＦするとともに(S1213)、普通当たりフラグをＯＦＦする(S1214)。そして、第２始動口入賞カウンタの値をクリアするとともに(S1215)、普通動作ステータスを「１」にセットして(S1216)、本処理を終える。これにより、次回のメイン側タイマ割り込み処理(S005)において、普通動作処理(S105)として再び普通図柄待機処理(S602、図１９参照)が実行されることになる。
【０１２９】
［特別動作処理］遊技制御用マイコン８１は、普通動作処理(S105)に次いで特別動作処理(S106)を行う（図１４参照）。特別動作処理(S106)では、図２５に示すように、特別図柄表示器４１および大入賞装置３１に関する処理を４つの段階に分け、それらの各段階に「特別動作ステータス１，２，３，４」を割り当てている。そして、「特別動作ステータス」が「１」である場合には(S1301でYES)、特別図柄待機処理(S1302)を行い、「特別動作ステータス」が「２」である場合には(S1301でNO、S1303でYES)、特別図柄変動中処理(S1304)を行い、「特別動作ステータス」が「３」である場合には(S1301,S1303で共にNO、S1305でYES)、特別図柄確定処理(S1306)を行い、「特別動作ステータス」が「４」である場合には(S1301,S1303,S1305の全てがNO)、特別電動役物処理(S1307)を行う。なお特別動作ステータスは、初期設定では「１」である。
【０１３０】
［特別図柄待機処理］図２６に示すように、特別図柄待機処理(S1302)ではまず、第２始動口２１の保留球数（即ち特図２保留球数）が「０」であるか否かを判定する(S1401)。特図２保留球数が「０」である場合(S1401でYES)、即ち、第２始動口２１への入賞に起因して取得した乱数カウンタ値群の記憶がない場合には、第１始動口２０の保留球数（即ち特図１保留球数）が「０」であるか否かを判定する(S1408)。そして、特図１保留球数も「０」である場合(S1408でYES)、即ち、第１始動口２０への入賞に起因して取得した乱数カウンタ値群の記憶もない場合には、既に画像表示装置７の表示画面７ａを待機画面（客待ち用のデモ画面）としたか否かを判定し(S1415)、そうであれば(S1415でYES)処理を終え、そうでなければ(S1415でNO)、所定の待機時間の経過を待って、待機画面を表示させるための客待ち待機コマンドをセットする(S1416)。
【０１３１】
ステップS1401において特図２保留球数が「０」でない場合(S1401でNO)、即ち、第２始動口２１への入賞に起因して取得した乱数カウンタ値群の記憶（特図２の保留情報）が１つ以上ある場合には、後述の転落処理(S1402)、特図２大当たり判定処理(S1403)、及び特図２変動パターン選択処理(S1404)を行う。その後、遊技制御用マイコン８１は、特図２保留球数を１ディクリメントする(S1405)。そして、第２特図保留記憶部８５ｂにおける各種カウンタ値の格納場所（記憶領域）を現在の位置から読み出される側に一つシフトするとともに、第２特図保留記憶部８５ｂにおける保留４個目に対応する記憶領域（読み出される側から最も遠い記憶領域）をクリアする(S1406)。このようにして、第２特図保留が保留された順に消化されるようにしている。
【０１３２】
続いて遊技制御用マイコン８１は、特図２変動開始処理(S1407)を実行する。特図２変動開始処理(S1407)では、特別動作ステータスを「２」にセットするとともに変動開始コマンドをセットして、第２特別図柄の変動表示を開始する。なお、特図２変動開始処理(S1407)でセットされる変動開始コマンド（特図２変動開始コマンドともいう）には、特図２変動パターン選択処理(S1404)でセットされた変動パターンの情報（変動時間の情報を含む情報）が含まれている。
【０１３３】
また、特図２保留球数が「０」であるが特図１保留球数が「０」でない場合(S1401でYES且つS1408でNO)、即ち、特図２の保留情報はないが、第１始動口２０への入賞に起因して取得した乱数カウンタ値群の記憶（特図１の保留情報）が１つ以上ある場合には、後述の転落処理(S1409)、特図１大当たり判定処理(S1410)、及び特図１変動パターン選択処理(S1411)を行う。その後、遊技制御用マイコン８１は、特図１保留球数を１ディクリメントする(S1412)。そして、第１特図保留記憶部８５ａにおける各種カウンタ値の格納場所（記憶領域）を、現在の位置から読み出される側に一つシフトするとともに、第１特図保留記憶部８５ａにおける保留４個目に対応する記憶領域（読み出される側から最も遠い記憶領域）をクリアする(S1413)。このようにして、第１特図保留が保留された順に消化されるようにしている。
【０１３４】
続いて遊技制御用マイコン８１は、特図１変動開始処理(S1414)を実行する。特図１変動開始処理(S1414)では、特別動作ステータスを「２」にセットするとともに変動開始コマンドをセットして、第１特別図柄の変動表示を開始する。なお、特図１変動開始処理(S1414)でセットされる変動開始コマンド（特図１変動開始コマンドともいう）には、特図１変動パターン選択処理(S1411)でセットされた変動パターンの情報（変動時間の情報を含む情報）が含まれている。
【０１３５】
上記のように本形態では、第１特図保留に基づく特別図柄の変動表示は、第２特図保留が「０」の場合(S1401でYESの場合)に限って行われる。すなわち第２特図保留の消化は、第１特図保留の消化に優先して実行される。そして本形態では、第２特図保留に基づく抽選の方が、第１特図保留に基づく抽選よりも、時短突入率及び実質的な確変突入率が高くなっている（図８（Ｂ）参照）。すなわち特図２の抽選の方が、特図１の抽選よりも遊技者にとって有利な抽選となっている。なお、通常遊技状態での当選に基づく大当たり遊技中に第２特図保留を発生させることができた場合には、大当たり遊技の終了後には第１特図保留が残っていても、遊技者に有利な特図２の抽選が実行されることとなる。また本形態では、時短状態において遊技者が右打ちを続けている限り、特図１の抽選が実行されることがないように（つまり第２特図保留が「０」となってしまうことがないように）、普通図柄の変動時間（図１０（Ｅ）参照）や電チュー２２の開放パターン（図１２参照）が設定されている。
【０１３６】
[転落処理]図２７に示すように、転落処理(S1402又はS1409)ではまず、遊技制御用マイコン８１は、転落フラグがＯＮか否かを判定する(S1901)。転落フラグは、有効な始動入賞（乱数取得の契機となった始動入賞）時に転落領域（第１転落領域７２又は第２転落領域７７）への通過が生じたことを示すフラグである（図１６及び図１７参照）。ステップS1901において転落フラグがＯＮでなければ(S1901でNO)、高確率状態から通常確率状態へ転落させることはないため、直ちに本処理を終える。
【０１３７】
一方、転落フラグがＯＮであれば(S1901でYES)、転落カウンタを１ディクリメントする(S1902)。そして、転落カウンタの値が「０」か否かを判定する(S1903)。転落カウンタの値が「０」でなければ(S1903でNO)、転落領域（第１転落領域７２又は第２転落領域７７）への通過時に取得した乱数値に基づく大当たり判定の実行タイミングではないため、高確率状態への制御を終了させずに、本処理を終える。これに対して、転落カウンタの値が「０」であれば(S1903でYES)、高確率状態への制御を終了させるべく確変フラグをＯＦＦするとともに(S1904)、時短フラグがＯＮであれば時短フラグもＯＦＦする(S1905及びS1906)。そして、転落フラグをＯＦＦし(S1907)、現在の遊技状態の情報を含む遊技状態指定コマンドをＲＡＭ８４の出力バッファにセットして(S1908)、本処理を終える。
【０１３８】
［特図２大当たり判定処理（特図１大当たり判定処理）］特図２大当たり判定処理(S1403)と特図１大当たり判定処理(S1410)とは、処理の流れが同じであるため図２８に基づいてまとめて説明する。図２８に示すように、特図２大当たり判定処理(S1403)又は特図１大当たり判定処理(S1410)ではまず、判定値として、大当たり乱数カウンタ値（ラベル−ＴＲＮＤ−Ａの値）を読み出す(S1501)。詳細には、特図２大当たり判定処理(S1403)では、ＲＡＭ８４の第２特図保留記憶部８５ｂの第１記憶領域（即ち第２特図保留の１個目に対応する記憶領域）に記憶されている大当たり乱数カウンタ値を読み出す。また特図１大当たり判定処理(S1410)では、ＲＡＭ８４の第１特図保留記憶部８５ａの第１記憶領域（即ち第１特図保留の１個目に対応する記憶領域）に記憶されている大当たり乱数カウンタ値を読み出す。
【０１３９】
次に、大当たり判定テーブル（図１０（Ａ））のアドレスをセットする(S1502)。次いで、確変フラグがＯＮか否か、すなわち高確率状態であるか否かを判定する(S1503)。そして、高確率状態でなければ(S1503でNO)、すなわち通常確率状態（非高確率状態）であれば、大当たり判定テーブル（図１０（Ａ））のうち非高確率状態用のテーブル（大当たり判定値が「６２８」，「６２９」）に基づいて大当たりか否かを判定する(S1504)。一方、高確率状態であれば(S1503でYES)、大当たり判定テーブル（図１０（Ａ））のうち高確率状態用のテーブル（大当たり判定値が「６２０」〜「６２９」）に基づいて大当たりか否かを判定する(S1505)。
【０１４０】
大当たり判定(S1504,S1505)の結果が「大当たり」であれば、当たり種別乱数カウンタ値（ラベル−ＴＲＮＤ−ＡＳの値）を読み出して、図１０（Ｂ）に示す当たり種別判定テーブルに基づいて当たり種別を判定する(S1506)。当たり種別を判定(S1506)した後は、大当たりフラグをＯＮするとともに(S1507)、当たり種別に応じた特図停止図柄データ（図８（Ａ）参照）をＲＡＭ８４に設けた特図バッファにセットして(S1508)、ステップS1509に進む。一方、大当たり判定(S1504,S1505)の結果が「ハズレ」であれば、ハズレ図柄に応じた特図停止図柄データ（０１Ｈ）を特図バッファにセットして(S1508)、ステップS1509に進む。ステップS1509では、ステップS1508でセットした特図停止図柄データの情報を含む図柄指定コマンドを、ＲＡＭ８４の出力バッファにセットする。なお、第１始動口２０への入球により取得された乱数値に基づく当否判定を、第１当否判定といい、第２始動口２１への入球により取得された乱数値に基づく当否判定を、第２当否判定ということとする。
【０１４１】
［特図２変動パターン選択処理（特図１変動パターン選択処理）］特図２変動パターン選択処理(S1404)と特図１変動パターン選択処理(S1411)とは、処理の流れが同じであるため図２９及び図３０に基づいてまとめて説明する。図２９及び図３０に示すように、特図２変動パターン選択処理(S1404)又は特図１変動パターン選択処理(S1411)ではまず、遊技状態が時短状態か否か（時短フラグがＯＮか否か）を判定する(S1601)。
【０１４２】
時短状態でなければ(S1601でNO)、すなわち非時短状態であれば、続いて大当たりフラグがＯＮか否かを判定する(S1602)。ＯＮであれば(S1602でYES)、非時短状態中大当たりテーブル（図１１に示す変動パターン判定テーブルのうち非時短状態且つ大当たりに該当する部分）を参照して、変動パターン乱数カウンタ値（ラベル−ＴＲＮＤ−Ｔ１の値）に基づいて変動パターンを選択する(S1603)。
【０１４３】
またステップS1602において、大当たりフラグがＯＮでなければ(S1602でNO)、リーチ乱数カウンタ値（ラベル−ＴＲＮＤ−ＲＣの値）がリーチ成立乱数値か否かを判定する(S1604)。図１０（Ｃ）に示すように、リーチ成立乱数値は時短状態であれば「０」〜「５」であり、非時短状態であれば「０」〜「１３」である。すなわち、時短状態の方が非時短状態よりもハズレ時のリーチがかかりにくくなっている。これは、時短状態において変動時間の短いリーチ無しハズレがより多く選択されようにすることで、特図保留の消化スピードを早めるためである。
【０１４４】
リーチ乱数カウンタ値がリーチ成立乱数値である場合(S1604でYES)、即ち、リーチ有りハズレの場合には、非時短状態中リーチ有りハズレテーブル（図１１に示す変動パターン判定テーブルのうち非時短状態且つリーチ有りハズレに該当する部分）を参照して、変動パターン乱数カウンタ値に基づいて変動パターンを選択する(S1605)。
【０１４５】
一方、リーチ乱数カウンタ値がリーチ成立乱数値でない場合(S1604でNO)、即ち、リーチ無しハズレの場合には、非時短状態中リーチ無しハズレテーブル（図１１に示す変動パターン判定テーブルのうち非時短状態且つリーチ無しハズレに該当する部分）を参照して、変動パターン乱数カウンタ値に基づいて変動パターンを選択する(S1606)。このリーチ無しハズレ時には、保留球数に応じた短縮変動の機能が働くようになっている。すなわち、特別図柄の保留球数が「３」又は「４」であるときは、特別図柄の保留球数が「０」〜「２」であるときに比して変動時間の短い変動パターンが選択されるようになっている。
【０１４６】
またステップS1601において、遊技状態が時短状態であると判定した場合(S1601でYES)には、図３０に示すように、参照する変動パターン判定テーブルを時短状態中のテーブル（図１１に示す変動パターン判定テーブルのうち時短状態に該当する部分）にする事以外は上記ステップS1602〜S1606と同様の流れで処理(S1607〜S1611)を行う。すなわち、大当たりフラグがＯＮであれば(S1607でYES)、時短状態中大当たりテーブル（図１１の時短状態且つ大当たりに該当する部分）を参照して、変動パターン乱数カウンタ値に基づいて変動パターンを選択する(S1608)。
【０１４７】
またリーチ乱数カウンタ値がリーチ成立乱数値であれば(S1609でYES)、時短状態中リーチ有りハズレテーブル（図１１の時短状態且つリーチ有りハズレに該当する部分）を参照して、変動パターン乱数カウンタ値に基づいて変動パターンを選択する(S1610)。またリーチ乱数カウンタ値がリーチ成立乱数値でなければ(S1609でNO)、時短状態中リーチ無しハズレテーブル（図１１の時短状態且つリーチ無しハズレに該当する部分）を参照して、変動パターン乱数カウンタ値に基づいて変動パターンを選択する(S1611)。
【０１４８】
なお、時短状態中の変動パターン判定テーブル（図１１に示す変動パターン判定テーブルのうち時短状態に該当する部分）では、リーチ無しハズレ時の保留球数に応じた短縮変動の機能が保留球数「２」〜「４」のときに働く。すなわち、非時短状態中よりも短縮変動が選択され易くなっている。また、大当たり当選時に変動時間の長い変動パターンが選択される確率が非時短状態中よりも低くなっている。すなわち、非時短状態中よりも変動時間の短い変動パターンが選択され易くなっている。つまり、時短状態中の変動パターン判定テーブルは、非時短状態中の変動パターン判定テーブルよりも特別図柄の変動時間が短くなるようなテーブルとなっている。
【０１４９】
上記のようにして変動パターンの選択を行った後は、図２９に示すように、選択した変動パターンをセットして(S1612)、本処理を終える。ステップS1612でセットした変動パターンの情報は、特別図柄待機処理(S1302)におけるステップS1407又はS1414でセットされる変動開始コマンドに含められる。
【０１５０】
ここで図１１に示すように、変動パターンが決まれば変動時間も決まる。また、リーチになる場合にそのリーチがノーマルリーチとなるのかスーパーリーチ（ＳＰリーチ）となるのかも決まる（図１１の備考欄参照）。ＳＰリーチとは、ノーマルリーチよりもリーチ後の変動時間が長いリーチである。本形態では、ＳＰリーチはノーマルリーチを経て発展的に実行される。
【０１５１】
また本形態では、ＳＰリーチには、弱ＳＰリーチＡ、弱ＳＰリーチＢ、及び強ＳＰリーチの３種類がある（図１１の備考欄参照）。なお、ＳＰリーチの種類としてこれら以外の種類を含んでいる構成としてもよい。上記の３種類のＳＰリーチは、互いに大当たり期待度が異なっている。具体的には、弱ＳＰリーチＡ、弱ＳＰリーチＢ、強ＳＰリーチの順に大当たり期待度が高くなっている。つまり本パチンコ遊技機１では、弱ＳＰリーチＡ、弱ＳＰリーチＢ、強ＳＰリーチの順に大当たり期待度が高くなるように各種の変動パターンの振分率が設定されている。
【０１５２】
より詳細には、大当たり当選時には強ＳＰリーチが最も選択され易く、次いで弱ＳＰリーチＢが選択され易く、その次に弱ＳＰリーチＡが選択され易くなっている。ノーマルリーチが選択される割合は最も低い。これに対して、ハズレ時にはノーマルリーチが最も選択され易く、次いで弱ＳＰリーチＡが選択され易く、その次に弱ＳＰリーチＢが選択され易くなっている。強ＳＰリーチが選択される割合は最も低い。
【０１５３】
［特別図柄変動中処理］図３１に示すように、特別図柄変動中処理(S1304)ではまず、特別図柄の変動時間（ステップS1404又はS1411で選択された変動パターンに応じて決まる変動時間、図１１参照)が経過したか否かを判定する(S1701)。経過していなければ(S1701でNO)、直ちにこの処理を終える。これにより特別図柄の変動表示が継続される。
【０１５４】
一方、変動時間が経過していれば(S1701でYES)、変動停止コマンドをセットするとともに(S1702)、特別動作ステータスを「３」にセットする(S1703)。そして、特別図柄の変動表示を、セットされている特図停止図柄データに応じた図柄（大当たり図柄又はハズレ図柄）で停止させる等のその他の処理を行ってから(S1704)、この処理を終える。
【０１５５】
［特別図柄確定処理］図３２に示すように、特別図柄確定処理(S1306)ではまず、特別図柄の停止時間（図１１参照）が経過したか否かを判定する(S1801)。経過していなければ(S1801でNO)、直ちにこの処理を終える。一方、停止時間が経過していれば(S1801でYES)、後述の遊技状態管理処理を行う(S1802)。
【０１５６】
次に、大当たりフラグがＯＮであるか否かを判定する(S1803)。大当たりフラグがＯＮであれば(S1803でYES)、特別動作ステータスを「４」にセットする(S1804)。そして、遊技制御用マイコン８１は、後述の遊技状態リセット処理を行う(S1805)。その後、大当たり遊技を開始するべく、大当たりのオープニングコマンドをセットして(S1806)、大当たり遊技のオープニングを開始する(S1807)。
【０１５７】
ステップS1807に続いて、遊技制御用マイコン８１は、当選した大当たりの種類に応じた開放パターン（詳しくは図８（Ａ）を参照）をセットする(S1808)。なおこのときに、大当たり遊技中の大入賞口の開放回数をカウントする大入賞口開放カウンタの値を、当選した大当たりの種類に応じた値にセットする。
【０１５８】
一方、ステップS1803において大当たりフラグがＯＮでなければ(S1803でNO)、大当たり遊技を開始しないため、特別動作ステータスを「１」にセットして(S1809)、本処理を終える。
【０１５９】
［遊技状態管理処理］図３３に示すように、遊技状態管理処理(S1802)ではまず、確変フラグがＯＮか否か判定し(S2001)、ＯＮであれば、高確率状態中に実行した特別図柄変動の回数をカウントする確変カウンタの値を１ディクリメントするとともに(S2002)、確変カウンタの値が「０」か否か判定して(S2003)、「０」であれば確変フラグをＯＦＦする(S2004)。ステップS2001又はS2003の判定結果がNOであれば、ステップS2005に進む。なお、本パチンコ遊技機１では、高確率状態への移行時には確変カウンタの値が「１００００」にセットされるようになっている。この点については後述する。
【０１６０】
続いて、時短フラグがＯＮか否か判定し(S2005)、ＯＮであれば、時短状態中に実行した特別図柄変動の回数をカウントする時短カウンタの値を１ディクリメントするとともに(S2006)、時短カウンタの値が「０」か否か判定して(S2007)、「０」であれば時短フラグをＯＦＦする(S2008)。ステップS2005又はS2007の判定結果がNOであれば、ステップS2009に進む。なお、本パチンコ遊技機１では、時短状態への移行時には時短カウンタの値が「１００」又は「１００００」にセットされるようになっている。この点については後述する。
【０１６１】
その後、遊技制御用マイコン８１は、現在の遊技状態の情報を含む遊技状態指定コマンドをＲＡＭ８４の出力バッファにセットして(S2009)、本処理を終える。
【０１６２】
［遊技状態リセット処理］図３４に示すように、遊技状態リセット処理(S1805)ではまず、確変フラグがＯＮか否かを判定し(S2101)、ＯＮであれば確変フラグをＯＦＦする(S2102)。また、時短フラグがＯＮか否かを判定し(S2103)、ＯＮであれば時短フラグをＯＦＦする(S2104)。つまり、大当たり遊技の実行中は、非高確率状態且つ非時短状態に制御される。本形態では非時短状態時は常に低ベース状態であるので、大当たり遊技の実行中は低ベース状態に制御されることにもなる。なお、本形態における低ベース状態とは、電チュー２２による入賞のサポートがないという意味での低ベース状態であり、大入賞装置の作動に基づくベースアップを考慮したものではない。
【０１６３】
続いて遊技制御用マイコン８１は、転落フラグがＯＮか否かを判定する(S2105)。転落フラグがＯＮでなければ(S2105でNO)、本処理を終える。これに対して、転落フラグがＯＮであれば(S2105でYES)、転落フラグをＯＦＦするとともに(S2106)、転落カウンタの値をリセットして(S2107)、つまり「０」にクリアして、本処理を終える。このようにするのは、大当たり遊技の実行前の転落領域（第１転落領域７２又は第２転落領域７７）への通過に基づいて、大当たり遊技の終了後の高確率状態が終了しないようにするためである。
【０１６４】
［特別電動役物処理］図３５に示すように、特別電動役物処理(S1307)ではまず、大当たり遊技終了フラグがＯＮであるか否かを判定する(S2201)。大当たり遊技終了フラグは、実行中の大当たり遊技において大入賞装置３１の開放が全て終了したことを示すフラグである。
【０１６５】
大当たり遊技終了フラグがＯＮでなければ(S2201でNO)、大入賞口３０の開放中か否か（すなわち大入賞装置３１の開放中か否か）を判定する(S2202)。開放中でなければ(S2202でNO)、大入賞口３０を開放させる時間に至ったか否か、すなわち大当たり遊技のオープニングの時間が経過して大入賞口３０の開放を開始する時間に至ったか、又は、開放間のインターバルの時間が経過して次の開放を開始する時間に至ったか否かを判定する(S2203)。
【０１６６】
ステップS2203の判定結果がNOであれば、そのまま処理を終える。一方、ステップS2203の判定結果がYESであれば、セットされている開放パターンに従って大入賞口３０を開放させる（S2204）。
【０１６７】
続くステップS2205では、ラウンド指定コマンド送信判定処理を行う。ラウンド指定コマンド送信判定処理(S2205)では、ステップS2204での大入賞口の開放がラウンド遊技１回の中での初めての開放か否かを判定し、そうであれば、実行中の大当たり遊技のラウンド数の情報を含むラウンド指定コマンドを、ＲＡＭ８４の出力バッファにセットする。なお本形態では、１回のラウンド遊技中に複数回の大入賞口の開放がなされることはない（図８（Ａ）参照）。そのため、このステップS2205では、必ずラウンド指定コマンドがセットされることとなる。
【０１６８】
ステップS2202において大入賞口３０の開放中であれば(S2202でYES)、そのラウンド遊技（単位開放遊技）における大入賞口３０への入賞個数が規定の最大入賞個数（本形態では８個）に達しているか否かを判定する(S2206)。規定入賞個数に達していなければ(S2206でNO)、大入賞口３０を閉鎖させる時間に至ったか否か（すなわち大入賞口３０を開放してから所定の開放時間（図８（Ａ）参照）が経過したか否か）を判定する(S2207)。そして、大入賞口３０の開放時間が経過していなければ(S2207でNO)、本処理を終える。
【０１６９】
これに対して、規定入賞個数に達している場合(S2206でYES)又は大入賞口３０の開放時間が経過した場合(S2207でYES)、すなわち２つの開放終了条件のうちのいずれかが満たされている場合には、大入賞口３０を閉鎖（閉塞）する(S2208)。そして、大入賞口開放カウンタの値を１ディクリメントし(S2209)、大入賞口開放カウンタの値が「０」であるか否か判定する(S2210)。「０」でなければ(S2210でNO)、次の開放を開始するためにそのまま処理を終える。
【０１７０】
一方「０」であれば(S2210でYES)、大当たり遊技を終了させるべく、大当たりのエンディングコマンドをセットするとともに(S2211)、大当たり遊技のエンディングを開始する(S2212)。そして、大当たり遊技終了フラグをセットして処理を終える(S2213)。
【０１７１】
またステップS2201において大当たり遊技終了フラグがＯＮであれば(S2201でYES)、大当たり遊技における大入賞口３０の開放が全て終了しているので、大当たり遊技のエンディングの時間が経過したか否かを判定し(S2214)、エンディング時間が経過していなければ(S2214でNO)処理を終える。一方、エンディング時間が経過していれば(S2214でYES)、大当たり遊技終了フラグをＯＦＦした後(S2215)、後述の遊技状態設定処理(S2216)を行って、大当たりフラグをＯＦＦする(S2217)。そして、特別動作ステータスを「１」にセットして処理を終える(S2218)。
【０１７２】
［遊技状態設定処理］図３６に示すように、遊技状態設定処理(S2216)ではまず、今回当選した大当たりの種類（特別図柄の種類）が、確変大当たり（高確率状態への制御契機となる大当たり、図８（Ｂ）参照）であるか否かを判定する(S2301)。今回当選した大当たりの種類は、特図バッファにセットされている特図停止図柄データの値に基づいて判定する。なお、本形態において当選可能な大当たりの種類は全て、確変大当たりである。
【０１７３】
ステップS2301において確変大当たりであれば(S2301でYES)、確変フラグをＯＮするとともに(S2302)、確変カウンタに「１００００」をセットする(S2303)。確変カウンタにセットされる値が「１００００」であるということは、転落領域（第１転落領域７２又は第２転落領域７７）への通過があるか、又は、次の大当たりに当選するまでは実質的に高確率状態が終了しないということである。
【０１７４】
次いで遊技制御用マイコン８１は、今回当選した大当たりの種類（特別図柄の種類）が、「特図１＿確変時短図柄Ａ」（図８（Ａ）参照）であるか否かを判定する(S2304)。「特図１＿確変時短図柄Ａ」であれば(S2304でYES)、続いて、今回の大当たり当選時の遊技状態が非時短状態であったか否かを判定する(S2305)。非時短状態での当選であれば(S2305でYES)、時短カウンタに「１００」をセットするとともに(S2306)、時短フラグをＯＮして(S2307)、ステップS2313に進む。
【０１７５】
これにより、後述する有利状態Ａ（時短回数が１００回の高確高ベース状態、図４８参照）に移行することとなる。なお、時短カウンタにセットされる値（時短回数）が「１００」であるということは、大当たりに当選することなく１００回に及ぶ特別図柄の変動表示の実行が終了すると、非時短状態且つ低ベース状態に制御されることとなり、その状態において第１始動口２０へ遊技球を入賞させたときに第１転落領域７２への通過が生じて、高確率状態も終了することとなる。ここで、時短回数とは、時短状態且つ高ベース状態（入球容易状態）への制御が継続され得る特別図柄の変動表示の上限回数である。
【０１７６】
これに対して、非時短状態での当選でなければ(S2305でNO)、すなわち時短状態での当選であれば、時短カウンタに「１００００」をセットするとともに(S2308)、時短フラグをＯＮして(S2307)、ステップS2313に進む。このように時短状態での当選である場合に時短カウンタの値を「１００００」にセットすることとしているのは次の理由による。すなわち、時短状態中は特図２の抽選が主になされることとなるが、仮に特図１の抽選がなされて時短図柄に当たった場合でも、後述する有利状態Ｂ（実質的に次回大当たり当選まで続く高確高ベース状態、図４８参照）に移行できるようにするためである。なお、時短カウンタにセットされる値（時短回数）が「１００００」であるということは、本形態では高確率状態への制御に伴って時短状態が続くということである。
【０１７７】
ステップS2304において「特図１＿確変時短図柄Ａ」でなければ、続いて、今回当選した大当たりの種類（特別図柄の種類）が、「特図２＿確変時短図柄Ａ」（図８（Ａ）参照）であるか否かを判定する(S2309)。「特図２＿確変時短図柄Ａ」であれば(S2309でYES)、続いて、今回の大当たり当選時の遊技状態が時短状態であったか否かを判定する(S2310)。時短状態での当選であれば(S2310でYES)、時短カウンタに「１００」をセットするとともに(S2306)、時短フラグをＯＮして(S2307)、ステップS2313に進む。これにより、後述する有利状態Ａ（図４８参照）移行することとなる。
【０１７８】
これに対して、時短状態での当選でなければ(S2310でNO)、時短フラグをＯＮすることなく、ステップS2313に進む。時短状態でないのに特図２の抽選に基づいて大当たりに当選しているということは、本形態では正しい遊技方法で遊技されていないことを意味している。よって、このような場合には、時短状態への制御という特典を付与しないこととしている。これにより、正しくない遊技方法で遊技されるのを防止している。
【０１７９】
また、ステップS2309において「特図２＿確変時短図柄Ａ」でなければ、続いて、今回当選した大当たりの種類（特別図柄の種類）が、「特図２＿確変時短図柄Ｂ」（図８（Ａ）参照）であるか否かを判定する(S2311)。「特図２＿確変時短図柄Ｂ」であれば(S2311でYES)、続いて、今回の大当たり当選時の遊技状態が時短状態であったか否かを判定する(S2312)。時短状態での当選であれば(S2312でYES)、時短カウンタに「１００００」をセットするとともに(S2308)、時短フラグをＯＮして(S2307)、ステップS2313に進む。これにより、後述する有利状態Ｂ（図４８参照）に移行することとなる。
【０１８０】
これに対して、時短状態での当選でなければ(S2312でNO)、時短フラグをＯＮすることなく、ステップS2313に進む。このようにする理由は、ステップS2310でＮＯと判定した場合に時短状態への制御を行わない理由と同じである。
【０１８１】
またステップS2311において「特図２＿確変時短図柄Ｂ」でなければ、今回当選した大当たりの種類（特別図柄の種類）は「特図１＿確変非時短図柄」（図８（Ａ）参照）である。よって、時短フラグをＯＮすることなく、ステップS2313に進む。
【０１８２】
確変フラグと時短フラグとがともにＯＮされると、今回の大当たり遊技後の遊技状態は、高確率状態且つ時短状態且つ高ベース状態（すなわち高確高ベース状態）になる。この高確高ベース状態では、電チュー２２を狙って遊技をしている限り、転落領域（第１転落領域７２又は第２転落領域７７）へ遊技球が通過することはまずない。よって、この高確高ベース状態は、時短回数が「１００」に設定された場合には（つまり有利状態Ａに制御された場合には）、大当たりに当選することなく特別図柄の変動表示の実行回数が１００回に及ぶまで続く。すなわち、所謂ＳＴ機として機能する。一方、時短回数が「１００００」に設定された場合には（つまり有利状態Ｂに制御された場合には）、実質的には次回の大当たり当選まで続く。すなわち、所謂確変ループ機として機能する。
【０１８３】
一方、時短フラグがＯＮされずに確変フラグだけがＯＮされると、今回の大当たり遊技後の遊技状態は、高確率状態且つ非時短状態且つ低ベース状態（すなわち高確低ベース状態）になる。低ベース状態では、電チュー２２への入賞は難しい。そのため、遊技者は左打ちにて第１始動口２０への入賞を狙って遊技を行う。第１始動口２０へ入賞した遊技球は、略必ず第１転落領域７２を通過する。よって、高確率状態での特別図柄抽選はほとんど実行されることがなく、大当たり遊技の終了後すぐに高確率状態への制御が終了することとなる。
【０１８４】
ステップS2313では、遊技制御用マイコン８１は、今設定した遊技状態の情報を含む遊技状態指定コマンドをＲＡＭ８４の出力バッファにセットする。そして、遊技状態設定処理を終える。なお本形態では、時短回数が「１００」回に設定される時短状態（高ベース状態）を、第１の時短状態（第１の高ベース状態）と称し、時短回数が「１００００」回に設定される時短状態を、第２の時短状態（第２の高ベース状態）と称することとする。
【０１８５】
［保留球数処理］遊技制御用マイコン８１は、特別動作処理(S106)に次いで保留球数処理(S108)を行う。保留球数処理(S108)では図３７に示すように、まず、ＲＡＭ８４に記憶されている特図１保留球数、特図２保留球数および普通図柄保留球数を読み出す(S2801)。次いで、その保留球数をサブ制御基板９０に通知するための保留球数コマンドを、ＲＡＭ８４の出力バッファにセットする(S2802)。
【０１８６】
６．演出制御用マイコン９１の動作
［サブ制御メイン処理］次に図３８〜図４５に基づいて演出制御用マイコン９１の動作について説明する。なお、演出制御用マイコン９１の動作説明にて登場するカウンタ、タイマ、フラグ、ステータス、バッファ等は、ＲＡＭ９４に設けられている。サブ制御基板９０に備えられた演出制御用マイコン９１は、パチンコ遊技機１の電源がオンされると、ＲＯＭ９３から図３８に示したサブ制御メイン処理のプログラムを読み出して実行する。同図に示すように、サブ制御メイン処理では、まずＣＰＵ初期化処理を行う（S4001）。ＣＰＵ初期化処理（S4001）では、スタックの設定、定数設定、ＣＰＵ９２の設定、ＳＩＯ、ＰＩＯ、ＣＴＣ（割り込み時間の管理のための回路）等の設定等を行う。
【０１８７】
続いて、電源断信号がＯＮで且つＲＡＭ９４の内容が正常であるか否かを判定する(S4002)。そしてこの判定結果がNOであれば、ＲＡＭ９４の初期化をして(S4003)、ステップS4004に進む。一方、判定結果がYESであれば(S4002でYES)、ＲＡＭ９４の初期化をせずにステップS4004に進む。すなわち、電源断信号がＯＮでない場合、又は電源断信号がＯＮであってもＲＡＭ９４内容が正常でない場合には(S4002でNO)、ＲＡＭ９４を初期化するが、停電などで電源断信号がＯＮとなったがＲＡＭ９４内容が正常に保たれている場合には(S4002でYES)、ＲＡＭ９４を初期化しない。なお、ＲＡＭ９４を初期化すれば、各種のフラグ、ステータス及びカウンタ等の値はリセットされる。また、このステップS4001〜S4003は、電源投入後に一度だけ実行され、それ以降は実行されない。
【０１８８】
ステップS4004では、割り込みを禁止する。次いで、乱数シード更新処理を実行する(S4005)。乱数シード更新処理(S4005)では、種々の演出決定用乱数カウンタの値を更新する。なお、演出決定用乱数には、演出図柄を決定するための演出図柄決定用乱数、変動演出パターンを決定するための変動演出パターン決定用乱数、種々の予告演出を決定するための予告演出決定用乱数等がある。乱数の更新方法は、前述の主制御基板８０が行う乱数更新処理と同様の方法をとることができる。更新に際して乱数値を１ずつ加算するのではなく、２ずつ加算するなどしてもよい。これは、前述の主制御基板８０が行う乱数更新処理においても同様である。
【０１８９】
乱数シード更新処理(S4005)が終了すると、コマンド送信処理を実行する(S4006)。コマンド送信処理では、サブ制御基板９０のＲＡＭ９４内の出力バッファに格納されている各種のコマンドを、画像制御基板１００に送信する。コマンドを受信した画像制御基板１００は、コマンドに従い画像表示装置７を用いて各種の演出（演出図柄変動演出や、大当たり遊技に伴うオープニング演出、ラウンド演出、エンディング演出等）を実行する。なお、画像制御基板１００による各種の演出の実行に伴ってサブ制御基板９０は、音声制御基板１０６を介してスピーカ６７から音声を出力したり、ランプ制御基板１０７を介して盤ランプ５や枠ランプ６６を発光させたり、装飾可動体１５を駆動させたりする。演出制御用マイコン９１は続いて、割り込みを許可する(S4007)。以降、ステップS4004〜S4007をループさせる。割り込み許可中においては、受信割り込み処理(S4008)、１ｍｓタイマ割り込み処理(S4009)、および１０ｍｓタイマ割り込み処理(S4010)の実行が可能となる。
【０１９０】
[受信割り込み処理]受信割り込み処理(S4008)では、図３９に示すように、ストローブ信号（ＳＴＢ信号）がＯＮか否か、すなわち主制御基板８０から送られたストローブ信号が演出制御用マイコン９１の外部ＩＮＴ入力部に入力されたか否かを判定する(S4101)。そして、ストローブ信号がＯＮでなければ処理を終え、ＯＮであれば主制御基板８０から送信されてきた各種のコマンドをＲＡＭ９４の受信バッファに格納する(S4102)。この受信割り込み処理は、他の割り込み処理(S4009、S4010)に優先して実行される処理である。
【０１９１】
［１ｍｓタイマ割り込み処理］１ｍｓタイマ割り込み処理(S4009)は、サブ制御基板９０に１ｍｓｅｃ周期の割り込みパルスが入力される度に実行される。図４０に示すように、１ｍｓタイマ割り込み処理(S4009)ではまず、入力処理(S4201)を行う。入力処理(S4201)では、演出ボタン検出スイッチ６３ａ（図７参照）からの検知信号に基づいてスイッチデータ（エッジデータ及びレベルデータ）を作成する。
【０１９２】
続いて、ランプデータ出力処理(S4202)を行う。ランプデータ出力処理(S4202)では、演出に合うタイミングで盤ランプ５や枠ランプ６６を発光させるべく、後述の１０ｍｓタイマ割り込み処理におけるその他の処理(S4304)で作成したランプデータをランプ制御基板１０７に出力する。つまり、ランプデータに従って盤ランプ５や枠ランプ６６を所定の発光態様で発光させる。
【０１９３】
次いで、駆動制御処理(S4203)を行う。駆動制御処理(S4203)では、演出に合うタイミングで装飾可動体１５を駆動させるべく、駆動データ（装飾可動体１５の駆動ためのデータ）を作成したり、出力したりする。つまり、駆動データに従って、装飾可動体１５を所定の動作態様で駆動させる。
【０１９４】
そして、ウォッチドッグタイマのリセット設定を行うウォッチドッグタイマ処理(S4204)を行って、本処理を終える。
【０１９５】
［１０ｍｓタイマ割り込み処理］１０ｍｓタイマ割り込み処理(S4010)は、サブ制御基板９０に１０ｍｓｅｃ周期の割り込みパルスが入力される度に実行される。図４１に示すように、１０ｍｓタイマ割り込み処理(S4010)ではまず、後述する受信コマンド解析処理を行う(S4301)。次いで、１ｍｓタイマ割り込み処理で作成したスイッチデータを１０ｍｓタイマ割り込み処理用のスイッチデータとしてＲＡＭ９４に格納するスイッチ状態取得処理を行う(S4302)。続いて、スイッチ状態取得処理にて格納したスイッチデータに基づいて表示画面７ａの表示内容等を設定するスイッチ処理を行う(S4303)。
【０１９６】
その後、演出制御用マイコン９１は、ランプデータ（盤ランプ５や枠ランプ６６の点灯を制御するデータ）を作成したり、音声データ（スピーカ６７からの音声の出力を制御するデータ）の作成及び音声制御基板１０６への出力をしたり、各種の演出決定用乱数を更新したりするなどのその他の処理を実行する(S4304)。
【０１９７】
［受信コマンド解析処理］図４２に示すように、受信コマンド解析処理(S4301)ではまず、演出制御用マイコン９１は、主制御基板８０から図柄指定コマンドを受信したか否か判定し(S4401)、受信していれば演出図柄選択処理を行う(S4402)。演出図柄選択処理(S4402)では、図柄指定コマンドが示す特図停止図柄データの情報に基づいて、変動演出にて最終的に停止表示する演出図柄８Ｌ,８Ｃ,８Ｒ（図２参照）の組み合わせを決定する。なお、ここで取得した特図停止図柄データの情報は、後述する各処理においても適宜利用可能である。
【０１９８】
具体的には例えば、特別図柄の種別が「特図１＿確変非時短図柄」であれば、演出図柄８Ｌ,８Ｃ,８Ｒの組み合わせとして、「２」、「４」、「６」又は「８」のゾロ目を選択する。また、特別図柄の種別が「特図１＿確変時短図柄Ａ」又は「特図２＿確変時短図柄Ａ」であれば、「１」、「５」又は「９」のゾロ目を選択する。また、特別図柄の種別が「特図２＿確変時短図柄Ｂ」であれば、演出図柄８Ｌ,８Ｃ,８Ｒの組み合わせとして、「１」、「３」、「５」、「７」又は「９」のゾロ目を選択する。また、特別図柄の種別が上記のいずれの「大当り図柄」でもなく「ハズレ図柄」であれば、演出図柄８Ｌ,８Ｃ,８Ｒの組み合わせとして、リーチ有りハズレの場合は「７８７」などのバラケ目、リーチ無しハズレの場合は「６３５」などのバラケ目を選択する。なお、演出図柄の決定には演出図柄決定用乱数が用いられる。
【０１９９】
上記のように本形態では、時短大当たりに当選した場合には奇数の演出図柄を選択し、非時短大当たりに当選した場合には偶数の演出図柄を選択することとしている。奇数の演出図柄を特定演出図柄と称し、偶数の演出図柄を非特定演出図柄と称する。特定演出図柄にて大当たり当選が報知された場合には、遊技者は、大当たり遊技の終了後には高ベース状態に制御されることを認識することができる。
【０２００】
なお、「３」又は「７」の演出図柄は、時短大当たりのうち時短Ｂ大当たりに当選した場合にだけ選択されるようにしている。「３」又は「７」の演出図柄を特殊特定演出図柄と称する。特殊特定演出図柄にて大当たり当選が報知された場合には、遊技者は、大当たり遊技の終了後には高確高ベース状態が次の大当たり当選まで続くことを認識することができる。なお、特殊特定演出図柄、特定演出図柄、及び非特定演出図柄としてどんな表示態様の演出図柄を採用するかは適宜変更可能である。
【０２０１】
図４２に戻り、受信コマンド解析処理(S4301)では演出制御用マイコン９１は、ステップS4402に続いて、主制御基板８０から変動開始コマンドを受信したか否か判定し(S4403)、受信していれば後述する変動演出開始処理を行う(S4404)。次に、主制御基板８０から変動停止コマンドを受信したか否か判定し(S4405)、受信していれば後述する変動演出終了処理を行う(S4406)。
【０２０２】
続いて、主制御基板８０からオープニングコマンドを受信したか否か判定し(S4407)、受信していればオープニング演出選択処理を行う(S4408)。オープニング演出選択処理(S4408)では、オープニングコマンドを解析して、大当たり遊技のオープニング時に実行するオープニング演出のパターン（内容）を選択する。そして、選択したオープニング演出パターンにてオープニング演出を開始するためのオープニング演出開始コマンドを、ＲＡＭ９４の出力バッファにセットする。
【０２０３】
オープニング演出開始コマンドがコマンド送信処理(S4006)により画像制御基板１００に送信されると、画像制御基板１００のＣＰＵ１０２は、所定の演出画像をＲＯＭ１０３から読み出して、画像表示装置７の表示画面７ａにてオープニング演出を行う。
【０２０４】
続いて、演出制御用マイコン９１は、主制御基板８０からラウンド指定コマンドを受信したか否か判定し(S4409)、受信していれば後述するラウンド演出選択処理を行う(S4410)。
【０２０５】
続いて、演出制御用マイコン９１は、主制御基板８０からエンディングコマンドを受信したか否か判定し(S4411)、受信していればエンディング演出選択処理を行う(S4412)。エンディング演出選択処理(S4412)では、大当たり遊技のエンディング時に実行するエンディング演出のパターン（内容）を選択する。そして、選択したエンディング演出パターンにてエンディング演出を開始するためのエンディング演出開始コマンドをＲＡＭ９４の出力バッファにセットする。
【０２０６】
エンディング演出開始コマンドがコマンド送信処理(S4006)により画像制御基板１００に送信されると、画像制御基板１００のＣＰＵ１０２は、所定の演出画像をＲＯＭ１０３から読み出して、画像表示装置７の表示画面７ａにてエンディング演出を行う。
【０２０７】
具体的には、非時短大当たりのエンディング演出は、図４７(ａ)に示すように「またね！」の画像を表示画面７ａに表示する演出である。これにより、遊技者には低ベース状態に制御されることが報知される。また、時短Ａ大当たりのエンディング演出は、図４７(ｂ)に示すように「Ａモード突入！」の画像を表示画面７ａに表示する演出である。これにより、遊技者には高確高ベース状態のうちの有利状態Ａ（図４８参照）に制御されることが報知される。また、確変時短大当たりのエンディング演出は、図４７(ｄ)に示すように「Ｂモード突入！」の画像を表示画面７ａに表示する演出である。これにより、遊技者には高確高ベース状態のうちの有利状態Ｂ（図４８参照）に制御されることが報知される。
【０２０８】
図４２に戻り、続いて演出制御用マイコン９１は、その他の処理(S4413)を行う。その他の処理(S4413)では、上記のコマンド以外の受信コマンド（例えば普通図柄変動開始コマンドや普通図柄変動停止コマンド、遊技状態指定コマンド、保留球数コマンド等）に基づく処理を行う。そして受信コマンド解析処理を終える。
【０２０９】
［変動演出開始処理］図４３に示すように、変動演出開始処理(S4404)ではまず、演出制御用マイコン９１は、変動開始コマンドを解析する（S5001）。変動開始コマンドには、変動パターンの情報が含まれている。
【０２１０】
次に演出制御用マイコン９１は、現在のモードステータスを参照する(S5002)。モードステータスは、実行する演出モードを決めるためのものである。ここで演出モードとは、画像表示装置７における演出の態様であり、演出モードが異なると、登場するキャラクタやアイテム、背景画像が異なる等、画像表示装置７に表示される画像が異なり、演出図柄変動演出も演出モードに応じた態様で実行される。
【０２１１】
本形態では図４６に示すように、モードステータスは「１」〜「３」までの値をとり、各値は演出モードＮ、Ａ、及びＢに対して割り当てられている。演出モードＮは、低ベース状態に制御されているときに実行される演出モードである。演出モードＡは、高確高ベース状態のうち有利状態Ａ（時短回数が１００回の高確高ベース状態）に制御されているときに実行される演出モードである。演出モードＢは、高確高ベース状態のうち有利状態Ｂ（時短回数が１００００回（つまり実質次回大当たりまで）の高確高ベース状態）に制御されているときに実行される演出モードである。従って、演出モードがＮ、Ａ、又はＢのいずれであるかを確認することで、遊技者は現在の遊技状態を把握することができるようになっている。
【０２１２】
図４３に戻り、変動演出開始処理(S4404)では演出制御用マイコン９１は、モードステータスの参照(S5002)に続いて、変動演出パターンの選択を行う(S5003)。具体的には、変動演出パターン決定用乱数を取得するとともに、演出モードの種類および変動パターンの種類（図１１のＰ１等）に応じて分類されている複数のテーブルの中から、モードステータスの値および変動開始コマンドの解析結果に基づいて一つのテーブルを選択し、その選択したテーブルを用いて、取得した変動演出パターン決定用乱数を判定することにより、変動演出パターンを選択する。これにより、例えばＳＰリーチの種類の詳細（例えば、弱ＳＰリーチＡとして複数あるリーチ演出のうちのどれを行うのか）等まで含めた演出図柄変動演出の詳細が決定される。つまり変動演出パターンが決まれば、演出図柄変動演出の時間、演出図柄の変動表示態様、リーチ演出の有無、リーチ演出の内容、演出ボタン演出（ＳＷ演出）の有無、演出ボタン演出の内容、演出展開構成、演出図柄の背景の種類等からなる演出図柄変動演出の内容の詳細が決まることとなる。
【０２１３】
続いて演出制御用マイコン９１は、予告演出の選択を行う(S5004)。具体的には、予告演出決定用乱数を取得するとともに、特別図柄の種類やリーチの有無に応じて分類されている複数のテーブルの中から、変動開始コマンドの解析結果に基づいて一つのテーブルを選択し、その選択したテーブルを用いて、取得した予告演出決定用乱数を判定することにより、予告演出を選択する。これにより、いわゆるステップアップ予告演出やチャンスアップ予告演出などの予告演出の内容が決定される。
【０２１４】
予告演出の例としては、大当たり当選に対する期待度（以下「当選期待度」という）が高いことを示す金色の枠でのセリフ予告、当選期待度が中程度であることを示す緑色の枠でのセリフ予告、当選期待度がこれらよりも低いことを示す青色の枠でのセリフ予告等が挙げられる。つまり、予告演出とは、演出図柄８Ｌ,８Ｃ,８Ｒによる最終的な当落報知よりも前に当選期待度を遊技者に対して示す演出である。なお、上記した弱ＳＰリーチＡや弱ＳＰリーチＢ、強ＳＰリーチといった各リーチ演出も、演出図柄８Ｌ,８Ｃ,８Ｒによる最終的な当落報知よりも前に当選期待度を遊技者に対して示す演出である。
【０２１５】
ステップS5004に続いて演出制御用マイコン９１は、ステップS4402で選択した演出図柄、ステップS5003で選択した変動演出パターン、及び、ステップS5004で選択した予告演出にて演出図柄変動演出を開始するための変動演出開始コマンドを、ＲＡＭ９４の出力バッファにセットして(S5005)、変動演出開始処理を終了する。ステップS5005でセットされた変動演出開始コマンドが、コマンド送信処理(S4006)により画像制御基板１００に送信されると、画像制御基板１００のＣＰＵ１０２は、所定の演出画像をＲＯＭ１０３から読み出して、画像表示装置７の表示画面７ａにて変動演出を行う。
【０２１６】
ここで、有利状態Ａにおける表示画面７ａ（つまり演出モードＡの表示画面７ａ）には、変動演出とは別に、時短回数の残回数の画像ＺＡ（図４７（ｃ）参照）が表示される。これにより、遊技者に対して時短状態の終わりを意識させることが可能となっている。これに対して、有利状態Ｂにおける表示画面７ａ（つまり演出モードＢの表示画面７ａ）には、時短回数が無限大であることを示す画像ＺＢ（図４７（ｅ）参照）が表示される。これにより、遊技者に対して時短状態が終わらないことを認識させることが可能となっている。なお、図４７（ｃ）に示す画像ＺＡを表示している画像表示装置７は、「第１表示態様」に制御された画像表示装置７であり、図４７（ｅ）に示す画像ＺＢを表示している画像表示装置７は、「第２表示態様」に制御された画像表示装置７である。
【０２１７】
［変動演出終了処理］図４４に示すように、変動演出終了処理(S4406)ではまず、演出制御用マイコン９１は、変動停止コマンドを解析するとともに(S5101)、モードステータスを参照する(S5102)。次に、いま変動を停止しようとしている特別図柄の変動表示の結果が大当たりか否か判定し、つまり大当たり判定処理の判定結果としての図柄を確認し(S5103)、大当たりであればモードステータス変更処理(S5104)を行って、ステップS5109に進む。
【０２１８】
モードステータス変更処理(S5104)では、いま変動を停止しようとしている特別図柄の変動表示の結果が、非時短大当たりであれば、モードステータスを「１」（演出モードＮに対応するモードステータス）にセットする（図４６参照）。また、確変時短Ａ大当たりであればモードステータスを「２」（演出モードＡに対応するモードステータス）にセットする（図４６参照）。また、確変時短Ｂ大当たりであればモードステータスを「３」（演出モードＢに対応するモードステータス）にセットする（図４６参照）。なおモードステータスの初期値は「１」（演出モードＮに対応するモードステータス）である。このようなモードステータスの変更により、次回の特別図柄の変動表示に並行して実行される演出図柄変動演出における演出モードが、変更後のモードステータスに対応した演出モードに変更される。
【０２１９】
さらにモードステータス変更処理(S5104)では、変更後の演出モードでの特別図柄の変動表示の回数に上限を設けるため、変更後の演出モードに対応した演出モードカウンタの値Ｍに上限回数をセットする。具体的には、演出モードＡへの変更時には演出モードカウンタの値Ｍａに１００をセットする（図４６参照）。また、演出モードＢへの変更時には演出モードカウンタの値Ｍｂに１００００をセットする（図４６参照）。なお、演出モードＮには、その演出モードでの特別図柄の変動表示の回数に上限はない（図４６参照）。
【０２２０】
図４４に戻り、ステップS5103にてNOであれば、続いて演出制御用マイコン９１は、モードステータスが「１」か否か、即ち演出モードＮか否かを判定する(S5105)。そして、モードステータスが「１」であれば、ステップS5109に進む。一方、モードステータスが「１」でなければ、現在の演出モードに対応する演出モードカウンタの値Ｍ（Ｍａ又はＭｂ）を１ディクリメントして(S5106)、その値Ｍが「０」にならなければ(S5107でNO)、そのままステップS5109に進む。これに対して、「０」になれば(S5107でYES)、演出モードＮに戻すためにモードステータスに「１」をセットしてから(S5108)ステップS5109に進む。ステップS5109では、演出制御用マイコン９１は、変動演出を終了させるための変動演出終了コマンドをＲＡＭ９４の出力バッファにセットする。
【０２２１】
ステップS5109でセットされた変動演出終了コマンドが、コマンド送信処理(S4006)により画像制御基板１００に送信されると、画像制御基板１００のＣＰＵ１０２は、変動演出を終了させる。これにより、表示画面７ａに変動表示（例えば上下に揺れるように表示）されていた演出図柄８Ｌ,８Ｃ,８Ｒは、確定的に停止表示されることとなる（揺れることなく止まって表示されることとなる）。
【０２２２】
［ラウンド演出選択処理］図４５に示すラウンド演出選択処理(S4410)は、大当たり遊技のラウンド遊技中に実行するラウンド演出のパターン（内容）を選択する処理である。本形態では、時短状態での当選に基づく大当たり遊技のラウンド遊技中に、バトル演出を行う。バトル演出とは例えば、味方キャラクタが敵キャラクタとバトルを行い、勝敗を決する演出である。
【０２２３】
図４５に示すように、ラウンド演出選択処理(S4410)ではまず、ラウンド指定コマンドを解析する(S5201)。なお本形態では、ラウンド指定コマンドには、大当たりへの当選判定時にセットされた特図停止図柄データ（図８（Ａ）参照）に関する情報が含まれている。
【０２２４】
続いて演出制御用マイコン９１は、今回の大当たり当選時の遊技状態が時短状態であったか否かを判定する(S5202)。この判定には主制御基板８０から受信した遊技状態指定コマンドが示す遊技状態情報を用いる。当選時の遊技状態が時短状態であれば(S5202でYES)、続いて、今回当選した大当たりの種類（特別図柄の種類）が、「特図２＿確変時短図柄Ｂ」又は「特図１＿確変時短図柄Ａ」（図８（Ａ）参照）のいずれかであるか否かを判定する(S5203)。
【０２２５】
ステップS5203の判定結果がＹＥＳであれば、実行中の大当たり遊技後に有利状態Ｂに移行させる。よって、味方キャラクタがバトルに勝利するバトル演出を選択して(S5204)、ステップS5207に進む。この勝利のバトル演出により遊技者に対して、有利状態Ｂに移行する旨（すなわち確変ループ機としての遊技性が発揮される旨）が報知される。
【０２２６】
一方、ステップS5203の判定結果がＮＯであれば、味方キャラクタがバトルに敗北するバトル演出を選択して(S5205)、ステップS5207に進む。この敗北のバトル演出により遊技者に対して、有利状態Ｂに移行しない旨（すなわち確変ループ機としての遊技性が発揮されない旨）が報知される。なお、時短状態中は正しく遊技している限り特図２の抽選がばかりが実行されるため、この敗北のバトル演出は遊技者に対して、有利状態Ａに移行する旨（すなわちＳＴ機としての遊技性が発揮される旨）を報知する演出となる。
【０２２７】
また、ステップS5202において今回の大当たり当選時の遊技状態が時短状態でないと判定した場合には、非時短状態での当選に基づく大当たり遊技の実行中である。そのため、バトル演出ではない他のラウンド演出を、当選した大当たりの種類に応じて選択して(S5206)、ステップS5207に進む。
【０２２８】
ステップS5207では、上述した各処理にて選択したラウンド演出を開始するためのラウンド演出開始コマンドを、ＲＡＭ９４の出力バッファにセットする。なお上述した各選択処理（S5204，S5205，S5206）では、ラウンド指定コマンドが示すラウンド数に応じたラウンド演出が選択されるものとする。
【０２２９】
ステップS5207でセットされたラウンド演出開始コマンドが、コマンド送信処理(S4006)により画像制御基板１００に送信されると、画像制御基板１００のＣＰＵ１０２は、ラウンド演出開始コマンドに応じた演出画像をＲＯＭ１０３から読み出して、画像表示装置７の表示画面７ａに表示する。
【０２３０】
７．本形態における遊技の流れ
次に、本形態のパチンコ遊技機１における遊技の進行の流れについて説明する。まず、通常遊技状態においては左打ちにて遊技を進行する。これにより、特図１の抽選に基づく大当たりの当選を狙う。図４８に示すように、特図１の抽選にて大当たりに当選すると、大当たり遊技状態に制御される。大当たり遊技状態では右打ちにて遊技を進行する。当選した大当たりが確変時短Ａ大当たり（図８（Ｂ）参照）であれば（振分率は５０％）、大当たり遊技状態に続いて有利状態Ａに制御される。有利状態Ａは、時短回数が１００回の高確高ベース状態である。なお本形態ではこれは、所謂ＳＴ回数が１００回の高確高ベース状態ということになる。つまりパチンコ遊技機１は、ＳＴ回数が１００回のＳＴ機として機能することとなる。
【０２３１】
この有利状態Ａにおいては、右打ちにて遊技を進行する。これにより、特図２の抽選に基づく大当たりの当選を狙う。特図２の抽選にて大当たりに当選すると、大当たり遊技のラウンド演出としてバトル演出が実行される（図４５参照）。当選した大当たりが確変時短Ｂ大当たり（図８（Ｂ）参照）であれば（振分率は８０％）、勝利のバトル演出が実行される。この場合、大当たり遊技状態に続いて有利状態Ｂに制御される。有利状態Ｂは、時短状態が１００００回の高確高ベース状態（実質的に次回の大当たり当選まで継続する高確高ベース状態）である。つまりパチンコ遊技機１は、確変ループ機として機能することとなる。従って、有利状態Ｂに制御されている間は、次回の大当たり当選が確定している。そのため、安心して遊技を楽しむことが可能となる。なお、この有利状態Ｂは、本形態では８０％の確率で継続する（維持率８０％）。
【０２３２】
これに対して、当選した大当たりが確変時短Ａ大当たり（図８（Ｂ）参照）であれば（振分率は２０％）、敗北のバトル演出が実行される。この場合、大当たり遊技状態に続いて有利状態Ａに制御される。上述したように有利状態Ａに制御されたパチンコ遊技機１は、ＳＴ機として機能している。よって、この状態では、限られたＳＴ回数の中で次回の大当たりに当選できるかどうかという緊張感のある遊技を楽しむことが可能である。なお、有利状態Ｂに制御されたあと有利状態Ａに戻っても、遊技者の引き次第で再び有利状態Ｂに移行させることが可能である。
【０２３３】
有利状態Ａにおいて、大当たりに当選することなく１００回に及ぶ特別図柄の変動表示の実行が終了すると、高ベース状態への制御が終了する。つまり、高確率状態且つ非時短状態且つ低ベース状態に制御される。この遊技状態においては、左打ちにて遊技を進行する。左打ちにて第１始動口２０へ遊技球を入賞させると、およそ１００％の確率で第１転落領域７２へ遊技球が進入する。これにより、高確率状態への制御が終了して、通常確率状態に転落する。つまり、通常確率状態且つ非時短状態且つ低ベース状態に制御される。つまり、通常遊技状態に戻ることとなる。
【０２３４】
８．本形態の効果
以上詳細に説明したように本形態のパチンコ遊技機１によれば、高確率状態中に第１始動口２０へ入球させた場合には第１通過率で第１転落用通路７１を通過して高確率状態が終了するところ、この第１通過率は百分率でおよそ「１００」に設定されている（図３参照）。これに対して、第２始動口２１へ入球させた場合には第２通過率で第２転落用通路７６を通過して高確率状態が終了するところ、この第２通過率は百分率でおよそ「０」に設定されている（図４参照）。そのため、高確率状態且つ高ベース状態に制御された場合には、入球容易となった第２始動口２１を狙って遊技している限り高確率状態が続く（高確率状態が維持される）。そして、高ベース状態が終了して第１始動口２０へ入球させたときに高確率状態が終了する（通常確率状態に戻る）。
【０２３５】
ここで本形態では、高ベース状態の終了条件として第１終了条件（大当たり当選又は１００回の特別図柄変動の終了）が設定された場合には、大当たりに当選することなく上限回数（設定された時短回数、ＳＴ回数、本形態では１００回）の特別図柄の変動表示の実行が終了すると高ベース状態が終了する。従って、この上限回数が高確率状態の継続回数の最大値となり、所謂ＳＴ機（確変の回数切りの遊技機）として機能することとなる。これに対して、高ベース状態の終了条件として第２終了条件（大当たり当選又は１００００回の特別図柄変動の終了、実質的に次回大当たり当選）が設定された場合には、１００回を超えて特別図柄の変動表示が実行されても大当たりに当選するまでは高ベース状態が続く。従って、次回の大当たり当選まで高確率状態が続く所謂確変ループ機として機能することとなる。
【０２３６】
つまり本形態によれば、１台の遊技機における高確率状態下での遊技として、次回の大当たり当選まで高確率状態が継続する遊技と、所定の上限回数の特別図柄の変動表示の実行によって高確率状態が終了する遊技とを併存させることが可能となっている（図４８参照）。従って、このような斬新な遊技性によって、高確率状態下での遊技に対する興趣を向上させることが可能となっている。
【０２３７】
また本形態のパチンコ遊技機１によれば、第１始動入賞装置１９は第１始動口内共通路７０から第１転落用通路７１と第１非転落用通路７３とに分岐する構造となっている（図３参照）。よって、第１転落用通路７１への通過率（第１通過率、すなわち第１始動口２０への入球時の高確率状態から通常確率状態への転落確率）が百分率で「１００」又は実質的に「１００」に設定されているとしても、第１始動口２０への入球時に高確率状態から通常確率状態へ転落しない可能性をわずかながら感じさせることが可能となっている。その結果、機械的（構造的）な転落抽選が行われていることによるドキドキ感を遊技者に与え、遊技興趣を向上させることが可能となっている。
【０２３８】
また本形態のパチンコ遊技機１によれば、第２始動口２１への入球に基づいて当否判定用の数値情報（大当たり乱数等の乱数値）を取得するための遊技球検知手段（転落用第２始動口センサ２１ａや非転落用第２始動口センサ２１ｂ）とは別に、第２始動口２１への入球数をカウントするための遊技球検知手段（入賞カウント用第２始動口センサ２１ｃ）を設けている（図４参照）。そしてこの入賞カウント用第２始動口センサ２１ｃは、転落用第２始動口センサ２１ａや非転落用第２始動口センサ２１ｂの配置位置よりも上流の位置に配されている。従って、転落用第２始動口センサ２１ａや非転落用第２始動口センサ２１ｂが入球数カウント用の遊技球検知手段を兼ねる構成とした場合よりも、第２始動口２１へ入球した遊技球を早くに検知することが可能となり、第２始動口２１への入球数を開閉部材２３の閉状態への制御に正確に反映させることが可能となっている。従って、１回の補助遊技において予め定めた上限数（本形態では９個）を超えて第２始動口２１への入球が生じる（所謂オーバーフローが生じる）のを抑制することが可能となっている。
【０２３９】
また本形態のパチンコ遊技機１によれば、第１始動口２０への入球に基づく大当たり当選によってまず第１終了条件の高ベース状態（有利状態Ａ）に制御されたあと、その高ベース状態下での第２始動口２１への入球に基づく大当たり当選によって第２終了条件の高ベース状態（有利状態Ｂ）に制御させられるかという新たな遊技性を提供することが可能となっている。つまり、第１始動口２０への入球に基づく大当たり当選によっては所謂確変ループ機として機能させることはできないが、第２始動口２１への入球が容易となる高ベース状態に制御されてからの遊技者の引き次第で、確変ループ機として機能させ得て、所謂大当たりの連チャン回数を大きく伸ばし得るという新たな遊技性を提供することが可能となっている。
【０２４０】
また本形態のパチンコ遊技機１によれば、遊技者はハンドル６０の操作によって遊技球を第１始動口２０のある第１流路Ｒ１と、第２始動口２１のある第２流路Ｒ２のいずれかに打ち分けることが可能である。そのため、高ベース状態において専ら第２始動口２１への入球だけを生じさせることが可能となっている（図２参照）。よって、高確率状態且つ高ベース状態に制御されている場合に第１始動口２０への入球が生じてしまい、その入球が契機となって高確率状態から通常確率状態に転落してしまうという事態の発生を防ぐことが可能となっている。
【０２４１】
また本形態のパチンコ遊技機１によれば、有利状態Ａ（図４８参照）に制御されているときには、高ベース状態での特別図柄の変動表示の残回数を報知する第１表示態様（図４７（ｃ）参照）に画像表示装置７を制御するため、遊技者に高ベース状態の終了が迫ってくることを意識させることが可能である。一方、有利状態Ｂ（図４８参照）に制御されているときには、次回の大当たり当選まで高ベース状態が続くことを示唆する第２表示態様（図４７（ｅ）参照）に画像表示装置７を制御するため、高ベース状態が終了しない安心感を遊技者に与えることが可能である。特にこのように第１表示態様と第２表示態様との両方があることにより、高ベース状態での特別図柄の変動表示の残回数が減らない安心感を際立たせ、第２表示態様に制御された際の高揚感を強めることが可能となっている。
【０２４２】
９．変更例
以下、変更例について説明する。なお、変更例の説明において、上記の第１形態のパチンコ遊技機１と同様の構成については、第１形態と同じ符号を付して説明を省略する。
【０２４３】
〈変更例１〉
上記形態では、第１始動入賞装置１９が第１始動口内共通路７０と、ここから分岐する第１転落用通路７１及び第１非転落用通路７３とを備えている構成とした。これに対して、図４９に示す第１始動入賞装置１９Ａのように、第１転落用通路７１Ａだけを備えている構成としてもよい。勿論、第１転落用通路７１Ａには第１転落領域７２Ａを設け、第１転落領域７２Ａに転落用第１始動口センサ２０ａを配する。つまり、非転落領域が設けられた非転落用通路のない構成（共通路から転落用通路と非転落用通路とに分岐していない構成）としてもよい。このような構成によれば、第１始動口２０Ａを通過した遊技球が必ず第１転落領域７２Ａを通過することとなり、第１始動口２０Ａへの入賞が生じた場合の転落確率を１００％にすることが可能となる。
【０２４４】
〈変更例２〉
また上記形態では、第１始動入賞装置１９や第２始動入賞装置（電チュー２２）の内部形状によって、始動口に入賞した遊技球を転落領域又は非転落領域のいずれかに振り分けるように構成した。これに対して、電動式の可動部材（振分部材）を用いて振り分けるように構成してもよい。ここで、電動式の可動部材を備える始動入賞装置を、図５０に基づいて具体的に説明する。図５０（Ａ）に示すように、変更例に係る第２始動入賞装置（電チュー）２２Ａは、第２始動口２１Ａと、第２始動口２１Ａを通過した遊技球が通過する第２始動口内共通路７５Ａと、第２始動口内共通路７５Ａから分岐する第２転落用通路７６Ａおよび第２非転落用通路７８Ａとを備えている。第２始動口２１Ａは、開閉部材２３Ａによって開閉される。開閉部材２３Ａは、電チューソレノイド２４（図６参照）により駆動される。
【０２４５】
第２転落用通路７６Ａには、第２転落領域７７Ａが形成されており、第２転落領域７７Ａには、転落用第２始動口センサ２１ａが配されている。また、第２非転落用通路７８Ａには、第２非転落領域７９Ａが形成されており、第２非転落領域７９Ａには、非転落用第２始動口センサ２１ｂが配されている。第２始動口内共通路７５Ａと第２転落用通路７６Ａ及び第２非転落用通路７８Ａとの分岐部７５Ａａには、可動部材６８が配されている。可動部材６８は図示しない可動部材ソレノイドによって駆動される。可動部材ソレノイドは主制御基板８０に接続され、遊技制御用マイコン８１により駆動制御される。つまり、遊技制御用マイコン８１は、可動部材制御手段を構成する。また第２始動口内共通路７５Ａにおける分岐部７５Ａａの上流には、入賞カウント用第２始動口センサ２１ｃが配されている。
【０２４６】
可動部材６８は、図５０（Ａ）に示すように、可動部材ソレノイドの非通電時には、第２転落領域７７Ａへ遊技球を振り分ける第１状態にある。可動部材６８が第１状態にあるときには、第２始動口２１Ａに入賞した遊技球は第２転落領域７７Ａを通過する。また可動部材６８は、図５０（Ｂ）に示すように、可動部材ソレノイドの通電時には、第２非転落領域７９Ａへ遊技球を振り分ける第２状態にある。可動部材６８が第２状態にあるときには、第２始動口２１Ａに入賞した遊技球は第２非転落領域７９Ａを通過する。
【０２４７】
この変更例によれば、開閉部材２３Ａの開閉タイミングと可動部材６８の作動タイミングとを適宜調整することにより、電チュー２２Ａにおける転落確率を任意の値に設定することが可能である。例えば、図５１に示すように、可動部材６８を、補助遊技の開始から２秒にわたって第１状態に制御したあと、第１状態（図５０（Ａ））から第２状態（図５０（Ｂ））に切り替え、さらに２秒経過後に可動部材６８を第２状態から第１状態に戻すとする（図５１（ａ）及び（ｄ）参照）。つまり、このような作動パターンで可動部材６８を作動させることとする。
【０２４８】
この場合、図５１（ｂ）に示す電チュー開放ＴＢＬ１１の開放パターン、つまり、開放前インターバルの時間（オープニングの時間）が１．６秒で、開放時間が０．５秒の開放パターンにて開閉部材２３Ａを駆動すれば、第２始動口２１Ａへ入球した遊技球が分岐部７５Ａａに到達したときには概ね可動部材６８が第１状態をとっており、ほぼ必ず第２転落領域７７Ａへ振り分けられることとなる。よってこの場合には、電チュー２２Ａにおける転落確率はほぼ１００％となる。
【０２４９】
これに対して、図５１（ｃ）に示す電チュー開放ＴＢＬ１２の開放パターン（特定の開放パターンの一例）、つまり、開放前インターバルの時間が２秒で、開放時間が２秒の開放パターンにて開閉部材２３Ａを駆動すれば、第２始動口２１Ａへ入球した遊技球が分岐部７５Ａａに到達したときには可動部材６８が概ね第２状態をとっており、ほぼ必ず第２非転落領域７９Ａへ振り分けられることとなる。よって、この場合には、電チュー２２Ａにおける転落確率はほぼ０％となる。よって、時短状態における開閉部材２３Ａの開放パターンを、図５１（ｃ）に示す開放パターンとすれば、上述した第１形態と同様の転落確率を実現することが可能となる。なお、図５１（ｂ）に示す開放パターンは、非時短状態における開放パターンとして採用すればよい。
【０２５０】
以上説明した変更例２のパチンコ遊技機によれば、可動部材６８の作動パターンと開閉部材２３の開放パターンとを調整することで、電チュー２２Ａにおける第２転落用通路７６Ａへの通過率（第２通過率、すなわち転落確率）をコントロールしている。そのため、可動部材６８を用いることなく電チュー２２の形状等で第２通過率をコントロールする構成（第１形態のパチンコ遊技機１の構成）と比べて、第２通過率を意図通りに実現することが可能となっている。すなわち、第２始動口２１へ入球した遊技球を意図通りの振分確率で第２転落用通路７６Ａに確実に振り分けることが可能となっている。
【０２５１】
なおこのような電動式の可動部材６８（図５０参照）を有する始動入賞装置を設けた場合、可動部材６８の作動パターンと開閉部材２３Ａの開放パターンを次のように変更してもよい。すなわち、図５２（ａ）及び（ｄ）に示すように、可動部材６８を、補助遊技の開始から０．２秒の極めて短い時間にわたって第２状態に制御した後、１．８秒にわたって第１状態に制御する。それから、再び２秒にわたって第２状態に制御する。つまり、このような作動パターンで可動部材６８を作動させることとする。
【０２５２】
この場合、図５２（ｂ）に示す電チュー開放ＴＢＬ２１の開放パターン、つまり、開放前インターバルの時間（オープニング時間）が０秒で、開放時間が０．５秒の開放パターンにて開閉部材２３Ａを駆動すれば、第２始動口２１Ａへ入球した遊技球が分岐部７５Ａａに到達したときには可動部材６８が概ね第１状態をとっており、ほぼ必ず第２転落領域７７Ａへ振り分けられることとなる。言い換えれば、第２非転落領域７９Ａへ通過する可能性は極めて低い。よってこの場合には、電チュー２２Ａにおける転落確率はほぼ１００％となる。
【０２５３】
これに対して、図５２（ｃ）に示す電チュー開放ＴＢＬ２２の開放パターン（特定の開放パターンの一例）、つまり、開放前インターバルの時間が図５２（ｂ）と同じ０秒で、開放時間が４秒の開放パターンにて開閉部材２３Ａを駆動すれば、開放時間の前半２秒で入球した遊技球は概ね第２転落領域７７Ａへ振り分けられるが、開放時間の後半２秒で入球した遊技球は概ね第２非転落領域７９Ａへ振り分けられることとなる。言い換えれば、第２非転落領域７９Ａへの通過容易性は高い。よってこの場合には、開放時間の後半２秒の間にのみ入賞するように遊技球を打ち込めば、電チュー２２Ａへの入賞に基づいて高確率状態が終了するのを避けることが可能となる。つまり、時短状態における開閉部材２３Ａの開放パターンを、図５２（ｃ）に示す開放パターンとすれば、遊技者が遊技球の発射タイミングを気を付ける必要はあるが、上述した第１形態と同様の転落確率を実現することが可能となる。なお、図５２（ｂ）に示す開放パターンは、非時短状態における開放パターンとして採用すればよい。
【０２５４】
さらには、可動部材６８の作動パターンと開閉部材２３Ａの開放パターンを次のように変更してもよい。すなわち、補助遊技において第２始動口２１Ａへの入賞個数が、所定の作動契機個数に到達したことに基づいて、可動部材６８が一定動作を開始するように構成してもよい。具体的に説明すれば、図５３（ａ）、（ｂ）、及び（ｃ）に示す例では、可動部材６８の一定動作の開始タイミングを、補助遊技において第２始動口２１Ａへの入賞個数が９個に至ったときとしている。そして、開閉部材２３Ａを、補助遊技の開始から０．５秒にわたって１回開放させる開放パターン（図５３（ｂ）に示す電チュー開放ＴＢＬ３１の開放パターン）にて駆動するようにしている。
【０２５５】
この例では、補助遊技における第２始動口２１Ａの開放時間が０．５秒と極めて短いため、補助遊技において第２始動口２１Ａへの入賞個数が、可動部材６８の作動契機個数（９個）に至ることはない。従って、可動部材６８は第１状態に制御され続け、第２状態に制御されることはない。従って、第２始動口２１Ａへ入賞した遊技球は、ほぼ必ず第２転落領域７７Ａへ振り分けられることとなる。よってこの場合には、電チュー２２Ａにおける転落確率はほぼ１００％となる。
【０２５６】
これに対して、図５３（ｄ）、（ｅ）及び（ｆ）に示す例では、可動部材６８の作動契機個数を１個にしている。そして、開閉部材２３Ａを、補助遊技の開始から２秒にわたって１回開放させる開放パターン（図５３（ｅ）に示す電チュー開放ＴＢＬ３２の開放パターン（特定の開放パターンの一例））にて駆動するようにしている。この例では、補助遊技が開始されて第２始動口２１Ａへの入賞が１球生じると、可動部材６８は第１状態から第２状態に切り替わり、以後補助遊技の終了まで第２状態が維持される。従って、第２始動口２１Ａへ入賞した遊技球は、ほぼ必ず第２非転落領域７９Ａへ振り分けられることとなる。よってこの場合には、電チュー２２Ａにおける転落確率はほぼ０％となる。従って、時短状態における開放パターンを図５３（ｅ）に示す開放パターンとし、可動部材６８の作動契機個数を１個とすれば、上述した第１形態と同様の転落確率を実現することが可能となる。なお、非時短状態では、開放パターンを図５３（ｂ）に示す開放パターンとし、可動部材６８の作動契機個数を９個とすればよい。
【０２５７】
なお、図５３に基づいて説明した構成とする場合には、図５０（Ａ）に示したように入賞カウント用第２始動口センサ２１ｃを設けておくことが望ましい。第２始動口２１Ａへの入賞球数を可動部材６８の状態の切り替え制御に正確に反映させることができるからである。
【０２５８】
〈その他変更例〉
上記形態では、電チュー２２の内部に入賞カウント用第２始動口センサ２１ｃを設けたが、この入賞カウント用第２始動口センサ２１ｃがない構成としてもよい。この場合、１回の補助遊技における第２始動口２１Ａへの総入賞球数のカウント、及び、第２始動口２１Ａへの入賞に基づく賞球の払い出しは、転落用第２始動口センサ２１ａや非転落用第２始動口センサ２１ｂによる遊技球の検知に基づいて行うように構成する。つまり、転落用第２始動口センサ２１ａ及び非転落用第２始動口センサ２１ｂが、大当たり抽選用の乱数値の取得の契機と、入賞球数のカウントや賞球の払い出しの契機とを兼ねる構成とする。但し、第２始動口２１から第２転落領域７７や第２非転落領域７９までの距離が長い場合（例えば１０ｃｍを超える場合）には、入賞カウント用第２始動口センサ２１ｃを設けた方がよい。
【０２５９】
また上記形態では、画像表示装置７の表示画面７ａに、時短回数の残回数の画像ＺＡ（図４７（ｃ）参照）や、時短回数が無限大であることを示す画像ＺＢ（図４７（ｅ）参照）を表示するように構成した。これに対して、例えば枠ランプ６６や盤ランプ５（図７参照）を用いて、時短回数の残回数を報知したり、時短回数が無限大であることを報知したりしてもよい。この場合、ＬＥＤ等からなるランプが、演出表示手段に当たる。そして、時短回数の残回数を報知するランプ表示の態様が第１表示態様に当たり、時短回数が無限大であることを示すランプ表示の態様が第２表示態様に当たる。
【０２６０】
また上記形態では、第１始動入賞装置１９への入賞は第１特別図柄の作動契機となり、第２始動入賞装置（電チュー２２）への入賞は第２特別図柄の作動契機となるように構成した。これに対して、特別図柄を１つだけ表示可能な構成、つまり特別図柄表示器を１つだけ有する構成としてもよい。この場合、第１始動入賞装置１９と第２始動入賞装置（電チュー２２）とが共に、同じ特別図柄の作動契機として設けられることとなる。なお、特別図柄抽選の内容としては、上記形態における特図２の抽選の内容（大当たりの振分率）を採用するとよい。
【０２６１】
また、各種大当たりへの振分率（図８（Ｂ）参照）は、適宜変更可能である。
【０２６２】
また上記形態では、第１始動入賞装置１９と第２始動入賞装置（電チュー２２）とが別体として構成されていた。これに対して、第１始動入賞装置１９と電チュー２２とがユニット化されていてもよい。なお、第１始動入賞装置１９と電チュー２２とがユニット化されていても、「第１入球手段と第２入球手段とを備えている」に含まれるものとする。
【０２６３】
また上記形態では、特別図柄の種類に基づいて高確率状態への制御を行う遊技機として構成した。これに対して、大入賞口内に設けられた特定領域（所謂Ｖゾーン）への通過に基づいて、高確率状態への制御を行う遊技機としてもよい。すなわち、所謂Ｖ確機としてもよい。この場合、上記形態の大入賞装置３１に加えて又は替えて、大入賞口内に特定領域を有する大入賞装置を設ける。そして、この大入賞装置における特定領域への通過に基づいて高確率状態への制御を行うようにする。
【０２６４】
また上記形態では、特別図柄の抽選における確変突入率を１００％に設定した。これに対して、確変突入率を１００％よりも小さく設定してもよい。つまり確変に移行しない大当たり図柄を設けてもよい。この場合、特図１の抽選における確変突入率だけを１００％よりも小さく設定してもよい。
【０２６５】
また上記形態では、確変カウンタに「１００００」をセットしたり、時短カウンタに「１００００」をセットしたりすることにより（図３６参照）、特別図柄の変動表示の実行回数に基づいて高確率状態が終了したり、時短状態が終了したりすることのないように構成した。しかしながら、このように特別図柄の変動表示の実行回数に基づく遊技状態の移行をしない場合には、確変カウンタや時短カウンタによる図柄変動の実行回数の管理を行わないように構成してもよい。
【０２６６】
また上記形態では、左遊技領域３Ａを通る流路を第１流路Ｒ１とし、右遊技領域３Ｂを通る流路を第２流路Ｒ２として、第１流路Ｒ１上に第１始動口２０を配し、第２流路Ｒ２上に第２始動口２１を配した。これに対して、右遊技領域３Ｂを通る流路を第１流路とし、左遊技領域３Ａを通る流路を第２流路として、第１流路上に第１始動口２０を配し、第２流路上に第２始動口２１を配してもよい。
【０２６７】
また上記形態では、第１始動口２０や第２始動口２１への入賞に基づいて取得する乱数（数値情報）として、大当たり乱数等の４つの乱数を取得することとしたが、一つの乱数を取得してその乱数に基づいて、大当たりか否か、当たりの種類、リーチの有無、及び変動パターンの種類を決めるようにしてもよい。すなわち、始動入賞に基づいて取得する乱数の個数および各乱数において何を決定するようにするかは任意に設定可能である。
【０２６８】
なお、この［発明を実施するための形態］における上記までの記載内容には、以下〈Ａ〉〜〈Ｇ〉の発明が示されている。以下の説明では、上記までの記載内容における対応する構成名や表現、図面に使用した符号等を参考のためにかっこ書きで付記している。但し、各発明の構成要素はこの付記に限定されるものではない。
【０２６９】
〈Ａ〉本発明に係る遊技機は、
遊技球が流下可能な遊技領域（３）に配された第１入球口（第１始動口２０）と、前記第１入球口に入球した遊技球が通過可能な第１通路（第１転落用通路７１）と、前記第１通路を通過する遊技球を検知可能な第１遊技球検知手段（転落用第１始動口センサ２０ａ）と、を備えた第１入球手段（第１始動入賞装置１９）と、
前記遊技領域に配された第２入球口（第２始動口２１）と、開状態と閉状態とをとり得て前記第２入球口への遊技球の入球し易さを変化させる開閉部材（２３）と、前記第２入球口に入球した遊技球が通過する第１共通路（第２始動口内共通路７５）と、前記第１共通路から分岐する第２通路（第２転落用通路７６）および第３通路（第２非転落用通路７８）と、前記第２通路を通過する遊技球を検知可能な第２遊技球検知手段（転落用第２始動口センサ２１ａ）と、前記第３通路を通過する遊技球を検知可能な第３遊技球検知手段（非転落用第２始動口センサ２１ｂ）と、を備えた第２入球手段（電チュー２２）と、
前記第１遊技球検知手段による遊技球の検知に基づいて数値情報（大当たり乱数等の乱数値）を取得する第１数値情報取得手段（ステップS211を実行する遊技制御用マイコン８１）と、
前記第２遊技球検知手段又は前記第３遊技球検知手段による遊技球の検知に基づいて数値情報を取得する第２数値情報取得手段（ステップS206を実行する遊技制御用マイコン８１）と、
前記第１数値情報取得手段又は第２数値情報取得手段により取得された数値情報に基づいて当否判定を行う当否判定手段（ステップS1403又はS1410を実行する遊技制御用マイコン８１）と、
前記当否判定の結果を示す図柄（特別図柄）を変動表示を経て停止表示する図柄表示手段（ステップS1304を実行する遊技制御用マイコン８１）と、
前記当否判定の結果が大当たり当選であることを示す特定の停止態様（大当たり図柄）にて前記図柄が停止表示されたあと、遊技者に有利な特別遊技（大当たり遊技）を実行する特別遊技実行手段（ステップS1307を実行する遊技制御用マイコン８１）と、
前記特別遊技の終了後の遊技状態を、通常確率状態よりも前記当否判定における大当たり当選確率が高い高確率状態に制御可能な高確率状態制御手段（ステップS2302を実行する遊技制御用マイコン８１）と、
前記第１遊技球検知手段による遊技球の検知、又は、前記第２遊技球検知手段による遊技球の検知のいずれかがあると、前記高確率状態を終了させて前記通常確率状態に制御し得る高確率状態終了手段（ステップS207又はS212やS1402又はS1409を実行する遊技制御用マイコン８１）と、
前記遊技領域に配された通過口（ゲート２８）への遊技球の通過に基づいて、前記開閉部材を開放する補助遊技を行う補助遊技実行手段（ステップS607を実行する遊技制御用マイコン８１）と、
少なくとも前記高確率状態への制御に伴って、前記特別遊技の終了後の遊技状態を、非入球容易状態（低ベース状態）よりも前記第２入球口へ遊技球が入球し易い入球容易状態（高ベース状態）に、所定の終了条件が成立するまで制御可能な入球容易状態制御手段（ステップS2307を実行する遊技制御用マイコン８１）と、を備えている遊技機（パチンコ遊技機１）であって、
前記第１入球口へ入球した遊技球が前記第１通路を通過する割合である第１通過率は、百分率で「１００」又は実質的に「１００」に設定されており、
前記第２入球口へ入球した遊技球が前記第２通路を通過する割合である第２通過率は、百分率で「０」又は実質的に「０」に設定されており、
大当たりに当選することなく予め定めた上限回数（例えば１００回）の前記図柄の変動表示の実行が終了すると前記入球容易状態を終了させる第１終了条件と、前記図柄の変動表示の実行回数が前記上限回数を超えても大当たりに当選するまで前記入球容易状態を継続させる第２終了条件と、を含む複数の終了条件の中から、当選した大当たりの種類に基づいて前記終了条件を設定する終了条件設定手段（ステップS2306又はS2308を実行する遊技制御用マイコン８１）を備えていることを特徴とする遊技機である。
【０２７０】
この構成の遊技機によれば、高確率状態中に第１入球口へ入球させた場合には第１通過率で第１通路を通過して高確率状態が終了するところ、この第１通過率は百分率でおよそ「１００」に設定されている。これに対して、第２入球口へ入球させた場合には第２通過率で第２通路を通過して高確率状態が終了するところ、この第２通過率は百分率でおよそ「０」に設定されている。そのため、高確率状態且つ入球容易状態に制御された場合には、入球容易となった第２入球口を狙って遊技している限り高確率状態が続く（高確率状態が維持される）。そして、入球容易状態が終了して第１入球口へ入球させたときに高確率状態が終了する（通常確率状態に戻る）。
【０２７１】
ここで本発明では、入球容易状態の終了条件として第１終了条件が設定された場合には、大当たりに当選することなく上限回数の図柄の変動表示の実行が終了すると入球容易状態が終了する。従って、この上限回数が高確率状態の継続回数の最大値となり、所謂ＳＴ機（確変の回数切りの遊技機）として機能することとなる。これに対して、入球容易状態の終了条件として第２終了条件が設定された場合には、上記した上限回数を超えて図柄の変動表示が実行されても大当たりに当選するまでは入球容易状態が続く。従って、次回の大当たり当選まで高確率状態が続く所謂確変ループ機として機能することとなる。
【０２７２】
つまり本発明によれば、１台の遊技機における高確率状態下での遊技として、次回の大当たり当選まで高確率状態が継続する遊技と、所定の上限回数の図柄の変動表示の実行によって高確率状態が終了する遊技とを併存させることが可能となる。従って、このような斬新な遊技性によって、高確率状態下での遊技に対する興趣を向上させることが可能となる。
【０２７３】
〈Ｂ〉上記構成の遊技機を次のように構成するとよい。
前記第１入球手段は、前記第１入球口に入球した遊技球が通過する第２共通路（第１始動口内共通路７０）と、前記第２共通路から分岐する前記第１通路（第１転落用通路７１）および第４通路（第１非転落用通路７３）と、前記第４通路を通過する遊技球を検知可能な第４遊技球検知手段（非転落用第１始動口センサ２０ｂ）とを備え、
前記第１数値情報取得手段は、前記第１遊技球検知手段又は前記第４遊技球検知手段による遊技球の検知に基づいて数値情報を取得するものであることを特徴とする遊技機。
【０２７４】
この構成の遊技機によれば、第１入球手段は第２共通路から第１通路と第４通路とに分岐する構造となっている。よって、第１通路への通過率（第１通過率、すなわち第１入球口への入球時の高確率状態から通常確率状態への転落確率）が百分率で「１００」又は実質的に「１００」に設定されているとしても、第１入球口への入球時に高確率状態から通常確率状態へ転落しない可能性をわずかながら感じさせることが可能となる。その結果、機械的（構造的）な転落抽選が行われていることによるドキドキ感を遊技者に与え、遊技興趣を向上させることが可能となる。
【０２７５】
〈Ｃ〉上記構成の遊技機を次のように構成するとよい。
前記第２入球手段は、前記第１共通路と前記第２通路および前記第３通路との分岐部（７５ａ）よりも上流の位置に、前記第１共通路を通過する遊技球を検知可能な上流側遊技球検知手段（入賞カウント用第２始動口センサ２１ｃ）を備えているものであり、
前記上流側遊技球検知手段による遊技球の検知に基づいて、１回の前記補助遊技における前記第２入球口への総入球数をカウントする入球数カウント手段（ステップS121でYESならS124を実行する遊技制御用マイコン８１）を備え、
前記補助遊技実行手段は、前記入球数カウント手段によりカウントされた総入球数が予め定めた上限数になると、前記開閉部材を閉状態に制御する（ステップS1205でYESならS1207を行う）ものであることを特徴とする遊技機。
【０２７６】
この構成の遊技機によれば、第２入球口への入球に基づいて当否判定用の数値情報を取得するための遊技球検知手段（第２遊技球検知手段や第３遊技球検知手段）とは別に、第２入球口への入球数をカウントするための遊技球検知手段（上流側遊技球検知手段）を設けている。そしてこの上流側遊技球検知手段は、第２遊技球検知手段や第３遊技球検知手段の配置位置よりも上流の位置に配されている。従って、第２遊技球検知手段や第３遊技球検知手段が入球数カウント用の遊技球検知手段を兼ねる構成とした場合よりも、第２入球口へ入球した遊技球を早くに検知することが可能となり、第２入球口への入球数を開閉部材の閉状態への制御に正確に反映させることが可能となる。従って、１回の補助遊技において予め定めた上限数を超えて第２入球口への入球が生じる（所謂オーバーフローが生じる）のを抑制することが可能となる。
【０２７７】
〈Ｄ〉上記構成の遊技機を次のように構成するとよい。
前記非入球容易状態において前記第１入球口への入球に基づく当否判定にて大当たりに当選した場合には、前記終了条件設定手段により前記第１終了条件に設定されることはあるが、前記第２終了条件に設定されることはなく、
前記入球容易状態において前記第２入球口への入球に基づく当否判定にて大当たりに当選した場合には、前記終了条件設定手段により前記第１終了条件にも前記第２終了条件にも設定されることがあることを特徴とする遊技機。
【０２７８】
この構成の遊技機によれば、第１入球口への入球に基づく大当たり当選によってまず第１終了条件の入球容易状態に制御されたあと、その入球容易状態下での第２入球口への入球に基づく大当たり当選によって第２終了条件の入球容易状態に制御させられるかという新たな遊技性を提供することが可能となる。つまり、第１入球口への入球に基づく大当たり当選によっては所謂確変ループ機として機能させることはできないが、第２入球口への入球が容易となる入球容易状態に制御されてからの遊技者の引き次第で、確変ループ機として機能させ得て、所謂大当たりの連チャン回数を大きく伸ばし得るという新たな遊技性を提供することが可能となる。
【０２７９】
〈Ｅ〉上記構成の遊技機を次のように構成するとよい。
前記第１入球口は、前記遊技領域上の第１流路（Ｒ１）に配されており、
前記第２入球口は、前記遊技領域上の第２流路（Ｒ２）に配されており、
前記第１流路又は前記第２流路のいずれかに遊技球を打ち分けて発射させることが可能な発射操作部（ハンドル６０）を備えていることを特徴とする遊技機。
【０２８０】
この構成の遊技機によれば、遊技者は発射操作部の操作によって遊技球を第１入球口のある第１流路と、第２入球口のある第２流路のいずれかに打ち分けることが可能である。そのため、入球容易状態において専ら第２入球口への入球だけを生じさせることが可能となる。よって、高確率状態且つ入球容易状態に制御されている場合に第１入球口への入球が生じてしまい、その入球が契機となって高確率状態から通常確率状態に転落してしまうという事態の発生を防ぐことが可能となる。
【０２８１】
〈Ｆ〉上記構成の遊技機を次のように構成するとよい。
前記第１共通路と前記第２通路および前記第３通路との分岐部（７５Ａａ）に設けられ、第１状態にあるときには前記第２通路へ遊技球を通過させ、第２状態にあるときには前記第３通路へ遊技球を通過させる可動部材（６８）と、
予め定めた作動パターンにて前記可動部材を作動させ得る可動部材制御手段（例えば図５１（ｄ）に示すように可動部材を作動させる遊技制御用マイコン８１）と、を備え、
前記補助遊技実行手段は、少なくとも前記入球容易状態において、前記第２通過率が百分率で「０」又は実質的に「０」となり得る特定の開放パターン（例えば図５１（ｃ））にて前記開閉部材を開放させるものであることを特徴とする遊技機。
【０２８２】
この構成の遊技機によれば、可動部材の作動パターンと開閉部材の開放パターンとを調整することで、第２入球手段における第２通路への通過率（第２通過率、すなわち転落確率）をコントロールしている。そのため、可動部材を用いることなく第２入球手段の形状等で第２通過率をコントロールする構成と比べて、第２通過率を意図通りに実現することが可能となる。すなわち、第２入球口へ入球した遊技球を意図通りの振分確率で第２通路に確実に振り分けることが可能となる。
【０２８３】
〈Ｇ〉上記構成の遊技機を次のように構成するとよい。
前記第１終了条件の入球容易状態に制御されているときには、前記上限回数までの残回数を報知する第１表示態様に、所定の演出表示手段（画像表示装置７）を制御する一方、前記第２終了条件の入球容易状態に制御されているときには、大当たりに当選するまで当該入球容易状態が継続することを示唆する第２表示態様に、前記演出表示手段を制御する演出制御手段（画像表示装置７を図４７（ｃ）に示す画面に制御したり図４７（ｅ）に示す画面に制御したりする演出制御用マイコン９１）を備えていることを特徴とする遊技機。
【０２８４】
この構成の遊技機によれば、入球容易状態がどの程度続くのかをわかりやすく示すことが可能である。特に、入球容易状態での図柄の変動表示の残回数を報知する第１表示態様では、遊技者に入球容易状態の終了が迫ってくることを意識させることが可能である。一方、次回の大当たり当選まで入球容易状態が続くことを示唆する第２表示態様では、入球容易状態が終了しない安心感を遊技者に与えることが可能である。このように第１表示態様と第２表示態様との両方があることにより、入球容易状態での図柄の変動表示の残回数が減らない安心感を際立たせ、第２表示態様に制御された際の高揚感を強めることが可能となる。
【０２８５】
なお、本発明の「所定の終了条件」とは、上記形態では、大当たり遊技の実行が開始されること、又は、予め定めた上限実行回数に及ぶ特別図柄の変動表示の実行が終了することである。
また、第１通過率が百分率で実質的に「１００」に設定されているとは、極めて稀ではあるが、第１入球口へ入球した遊技球が第１通路を通過しない（第１通路ではない通路を通過する）可能性が残っている構成である。つまり、第１通路を通過しないことがイレギュラーなケースとなっている構成である。例えば、１０００球に１球程度の割合で第１通路を通過しないような構成が挙げられる。但しこの割合はあくまで一例である。なお上記形態では、第１通過率（第１入球口へ入球した遊技球が第１通路を通過する割合）を、百分率で「１００」又は実質的に「１００」に設定したが、百分率で「８０」や「５０」、「２０」、「０」等、他の値に設定して、上記形態とは異なる遊技性の遊技機とすることも可能である。
また、第２通過率が百分率で実質的に「０」に設定されているとは、極めて稀ではあるが、第２入球口へ入球した遊技球が第２通路を通過する可能性が残っている構成である。つまり、第２通路を通過することがイレギュラーなケースとなっている構成である。例えば、１０００球に１球程度の割合で第２通路を通過するような構成が挙げられる。但しこの割合はあくまで一例である。なお上記形態では、第２通過率（第２入球口へ入球した遊技球が第２通路を通過する割合）を、百分率で「０」又は実質的に「０」に設定したが、百分率で「２０」や「５０」、「８０」、「１００」等、他の値に設定して、上記形態とは異なる遊技性の遊技機とすることも可能である。
また、上記形態における時短回数１００回の高ベース状態は、「第１終了条件に設定された入球容易状態」に当たり、時短回数１００００回の高ベース状態（実質的に次回大当たり当選まで続く高ベース状態）は、「第２終了条件に設定された入球容易状態」に当たる。
【符号の説明】
【０２８６】
１…パチンコ遊技機
３…遊技領域
７…画像表示装置
１９…第１始動入賞装置（第１入球手段）
２０…第１始動口（第１入球口）
２０ａ…転落用第１始動口センサ（第１遊技球検知手段）
２０ｂ…非転落用第１始動口センサ（第４遊技球検知手段）
２１…第２始動口（第２入球口）
２１ａ…転落用第２始動口センサ（第２遊技球検知手段）
２１ｂ…非転落用第２始動口センサ（第３遊技球検知手段）
２１ｃ…入賞カウント用第２始動口センサ（上流側遊技球検知手段）
２２…電チュー（第２入球手段）
２３…開閉部材
２８…ゲート（通過口）
６０…ハンドル（発射操作部）
７０…第１始動口内共通路（第２共通路）
７１…第１転落用通路（第１通路）
７３…第１非転落用通路（第４通路）
７５…第２始動口内共通路（第１共通路）
７５ａ…分岐部
７６…第２転落用通路（第２通路）
７８…第２非転落用通路（第３通路）
８１…遊技制御用マイコン
９１…演出制御用マイコン
Ｒ１…第１流路
Ｒ２…第２流路
【図１】
0006372935.tif 000002
【図２】
0006372935.tif 000003
【図３】
0006372935.tif 000004
【図４】
0006372935.tif 000005
【図５】
0006372935.tif 000006
【図６】
0006372935.tif 000007
【図７】
0006372935.tif 000008
【図８】
0006372935.tif 000009
【図９】
0006372935.tif 000010
【図１０】
0006372935.tif 000011
【図１１】
0006372935.tif 000012
【図１２】
0006372935.tif 000013
【図１３】
0006372935.tif 000014
【図１４】
0006372935.tif 000015
【図１５】
0006372935.tif 000016
【図１６】
0006372935.tif 000017
【図１７】
0006372935.tif 000018
【図１８】
0006372935.tif 000019
【図１９】
0006372935.tif 000020
【図２０】
0006372935.tif 000021
【図２１】
0006372935.tif 000022
【図２２】
0006372935.tif 000023
【図２３】
0006372935.tif 000024
【図２４】
0006372935.tif 000025
【図２５】
0006372935.tif 000026
【図２６】
0006372935.tif 000027
【図２７】
0006372935.tif 000028
【図２８】
0006372935.tif 000029
【図２９】
0006372935.tif 000030
【図３０】
0006372935.tif 000031
【図３１】
0006372935.tif 000032
【図３２】
0006372935.tif 000033
【図３３】
0006372935.tif 000034
【図３４】
0006372935.tif 000035
【図３５】
0006372935.tif 000036
【図３６】
0006372935.tif 000037
【図３７】
0006372935.tif 000038
【図３８】
0006372935.tif 000039
【図３９】
0006372935.tif 000040
【図４０】
0006372935.tif 000041
【図４１】
0006372935.tif 000042
【図４２】
0006372935.tif 000043
【図４３】
0006372935.tif 000044
【図４４】
0006372935.tif 000045
【図４５】
0006372935.tif 000046
【図４６】
0006372935.tif 000047
【図４７】
0006372935.tif 000048
【図４８】
0006372935.tif 000049
【図４９】
0006372935.tif 000050
【図５０】
0006372935.tif 000051
【図５１】
0006372935.tif 000052
【図５２】
0006372935.tif 000053
【図５３】
0006372935.tif 000054